(57)【要約】本発明は、構成の複雑化を招くことなく、妨害波の影響を低減することが可能で、１つのフロントエンドモジュールでアナログおよびデジタル放送信号を干渉なく受信できるようにする受信装置に関する。受信装置１０は、モジュール基板１１上に、第１の周波数帯域の放送信号を受信する第１の地上波チューナ１６および第２の地上波チューナ１７と、上記第１の周波数帯域とは異なる第２の周波数帯域の放送信号を受信する第１の衛星波チューナ１４とを含み、第１の地上波チューナ１６および第２の地上波チューナ１７の間には、第１の衛星波チューナ１４が配置されている。本発明は、例えば異なる周波数帯域の放送信号を受信する受信装置に適用できる。
2011007718.tif 000002
【特許請求の範囲】
【請求項１】
第１の周波数帯域の放送信号を受信する第１および第２の受信部と、
上記第１の周波数帯域とは異なる第２の周波数帯域の放送信号を受信する第３の受信部と
を含み、
上記第１および第２の受信部の間には、上記第３の受信部が配置されている
受信装置。
【請求項２】
上記第１および第２の受信部の間には、複数個の上記第３の受信部が配置されている
請求項１に記載の受信装置。
【請求項３】
上記第１乃至第３の受信部は、受信した放送信号を周波数変換する
請求項２に記載の受信装置。
【請求項４】
上記第１および第２の受信部の間には、２個の上記第３の受信部として、第１および第２の中間配置受信部が配置されており、
上記第１および第２の受信部は、上記第１の周波数帯域の放送信号として、UHFまたはVHFの周波数帯域の地上波放送信号を受信して中間周波信号に周波数変換し、
上記第１および第２の中間配置受信部は、上記第２の周波数帯域の放送信号として、SHFの周波数帯域の衛星波デジタル放送信号を受信してベースバンド信号に周波数変換する
請求項３に記載の受信装置。
【請求項５】
衛星波デジタル放送信号が入力される第１の入力端子と、
アナログまたはデジタルの地上波放送信号が入力される第２の入力端子と、
上記第１の入力端子から入力された衛星波デジタル放送信号を出力するための第１の出力端子と、
上記第２の入力端子から入力された地上波放送信号を出力するための第２の出力端子と、
上記第１の入力端子から入力された衛星波デジタル放送信号を第１の衛星波放送信号および第２の衛星波放送信号に分配し、かつ、当該入力された衛星波デジタル放送信号を上記第１の出力端子に供給する第１の分配部と、
上記第２の入力端子から入力された地上波放送信号を第１の地上波放送信号および第２の地上波放送信号に分配し、かつ、当該入力された地上波放送信号を上記第２の出力端子に供給する第２の分配部と
をさらに含み、
前記第１の中間配置受信部は、上記第１の分配部により分配された上記第１の衛星波放送信号を受信して第１のベースバンド信号に周波数変換し、
前記第２の中間配置受信部は、上記第１の分配部により分配された上記第２の衛星波放送信号を受信して第２のベースバンド信号に周波数変換し、
前記第１の受信部は、上記第２の分配部により分配された上記第１の地上波放送信号を受信して第１の中間周波信号に周波数変換し、
前記第２の受信部は、上記第２の分配部により分配された上記第２の地上波放送信号を受信して第２の中間周波信号に周波数変換する
請求項４に記載の受信装置。
【請求項６】
上記第１の中間配置受信部による上記第１のベースバンド信号および上記第１の受信部による上記第１の中間周波信号の復調機能を有する第１の復調部と、
上記第２の中間配置受信部による上記第２のベースバンド信号および上記第２の受信部による上記第２の中間周波信号の復調機能を有する第２の復調部と、
をさらに含む請求項５に記載の受信装置。
【請求項７】
上記第１の復調部は、
デジタル復調およびアナログ復調機能と、
上記第１のベースバンド信号の映像信号および音声信号を復調し、第１のトランスポートストリームを生成する機能と、
上記第１の中間周波信号が地上波デジタル放送信号を周波数変換した信号である場合、当該第１の中間周波信号の映像信号および音声信号を復調し、第２のトランスポートストリームを生成する機能と、
上記第１の中間周波信号が地上波アナログ放送信号を周波数変換した信号である場合、当該第１の中間周波信号の映像信号および音声信号を復調し、アナログ映像信号およびアナログ音声信号を生成する機能と
を有する請求項６に記載の受信装置。
【請求項８】
上記第２の復調部は、
デジタル復調機能と、
上記第２のベースバンド信号の映像信号および音声信号を復調し、第３のトランスポートストリームを生成する機能と、
上記第２の中間周波信号が地上波デジタル放送信号を周波数変換した信号である場合、当該第２の中間周波信号の映像信号および音声信号を復調し、第４のトランスポートストリームを生成する機能と
を有する請求項６または７に記載の受信装置。
【請求項９】
上記第１の復調部で生成されるトランスポートストリームを出力するための第３の出力端子と、
上記第２の復調部で生成されるトランスポートストリームを出力するための第４の出力端子と、
上記第１の復調部で生成されるアナログ映像信号を出力するための第５の出力端子と、
上記第１の復調部で生成されるアナログ音声信号を出力するための第６の出力端子と
をさらに含み、
上記第１の復調部は、
生成した上記第１のトランスポートストリームまたは上記第２のトランスポートストリームを上記第３の出力端子に供給し、
生成したアナログ映像信号を上記第５の出力端子に供給し、アナログ音声信号を上記第６の出力端子に供給する
請求項８に記載の受信装置。
【請求項１０】
上記第１の中間配置受信部、上記第２の中間配置受信部、上記第１の受信部、および上記第２の受信部は、
上記第１の分配部および上記第２の分配部の分配出力に対して並列に配置され、
上記地上波放送信号の周波数変換を行う上記第１の受信部および上記第２の受信部が並列配置の外側に配置され、
上記第１の受信部の配置部と上記第２の受信部の配置部との間に、上記第１の中間配置受信部および上記第２の中間配置受信部が並列に配置されている
請求項６から９のいずれか１つに記載の受信装置。
【請求項１１】
並列配置される上記第１の中間配置受信部、上記第２の中間配置受信部、上記第１の受信部、および上記第２の受信部は、
一方の外側配置部から、上記第１の受信部、上記第１の中間配置受信部、上記第２の中間配置受信部、および上記第２の受信部の順に配置されている
請求項１０に記載の受信装置。
【請求項１２】
上記第１の復調部および上記第２の復調部は、
上記並列配置された上記第１の受信部、上記第１の中間配置受信部、上記第２の中間配置受信部、および上記第２の受信部の出力に対して並列に配置され、
上記第１の受信部および上記第１の中間配置受信部は、
出力側が上記第１の復調部の入力側に対向するように並列に配置され、
上記第２の中間配置受信部および上記第２の受信部は、
出力側が上記第２の復調部の入力側に対向するように並列に配置されている
請求項１１に記載の受信装置。
【請求項１３】
並列配置される上記第１の中間配置受信部、上記第２の中間配置受信部、上記第１の受信部、および上記第２の受信部は、
一方の外側配置部から、上記第１の受信部、上記第２の中間配置受信部、上記第１の中間配置受信部、および上記第２の受信部の順に配置されている
請求項１０に記載の受信装置。
【請求項１４】
上記第１の復調部および上記第２の復調部は、
上記並列配置された上記第１の受信部、上記第２の中間配置受信部、上記第１の中間配置受信部、および上記第２の受信部の出力に対して並列に配置され、
上記第１の受信部および上記第２の中間配置受信部は、
出力側が上記第１の復調部の入力側に対向するように並列に配置され、
上記第１の中間配置受信部および上記第２の受信部は、
出力側が上記第２の復調部の入力側に対向するように並列に配置されている
請求項１３に記載の受信装置。
【請求項１５】
上記第１の分配部は、
上記第１の入力端子から入力した衛星波デジタル放送信号の不要成分を除去するフィルタと、
上記フィルタの出力信号を増幅する増幅器と、
上記増幅器の出力信号を上記第１の衛星波放送信号、上記第２の衛星波放送信号、および出力用衛星波デジタル放送信号に分配する分配器と
を有し、
上記分配器は、
上記第１の衛星波放送信号を上記第１の中間配置受信部に供給し、
上記第２の衛星波放送信号を上記第２の中間配置受信部に供給し、
上記出力用衛星波デジタル放送信号を上記第１の出力端子に供給する
請求項６から１４のいずれか１つに記載の受信装置。
【請求項１６】
上記第１の分配部は、
上記第１の入力端子から入力した衛星波デジタル放送信号の不要成分を除去するフィルタと、
上記フィルタの出力信号を２つの衛星波デジタル放送信号に分配する第１の分配器と、
上記第１の分配器で分配された一方の衛星波デジタル放送信号を増幅する増幅器と、
上記増幅器の出力信号を上記第１の衛星波放送信号、および上記第２の衛星波放送信号に分配する第２の分配器と
を有し、
上記第１の分配器は、
分配した他方の衛星波デジタル放送信号を上記第１の出力端子に供給し、
上記第２の分配器は、
上記第１の衛星波放送信号を上記第１の中間配置受信部に供給し、
上記第２の衛星波放送信号を上記第２の中間配置受信部に供給する
請求項６から１４のいずれか１つに記載の受信装置。
【請求項１７】
上記第２の分配部は、
上記第２の入力端子から入力した地上波放送信号の不要成分を除去するフィルタと、
上記フィルタの出力信号を増幅する増幅器と、
上記増幅器の出力信号を上記第１の地上波放送信号、上記第２の地上波放送信号、および出力用地上波放送信号に分配する分配器と
を有し、
上記分配器は、
上記第１の地上波放送信号を上記第１の受信部に供給し、
上記第２の地上波放送信号を上記第２の受信部に供給し、
上記出力用地上波放送信号を上記第２の出力端子に供給する
請求項６から１６のいずれか１つに記載の受信装置。
【請求項１８】
上記第２の分配部は、
上記第２の入力端子から入力した地上波放送信号の不要成分を除去するフィルタと、
上記フィルタの出力信号を２つの地上波放送信号に分配する第３の分配器と、
上記第３の分配器で分配された一方の地上波放送信号を増幅する増幅器と、
上記増幅器の出力信号を上記第１の地上波放送信号および上記第２の地上波放送信号に分配する第４の分配器と
を有し、
上記第３の分配器は、
分配した他方の地上波放送信号を上記第２の出力端子に供給し、
上記第４の分配器は、
上記第１の地上波放送信号を上記第１の受信部に供給し、
上記第２の地上波放送信号を上記第２の受信部に供給する
請求項６から１６のいずれか１つに記載の受信装置。
【請求項１９】
前記第１乃至第３の受信手段は、モジュール基板上に並列配置されており、
前記第１および第２の受信手段は、前記モジュール基板の縁部側に配置されている
請求項１に記載の受信装置。
【請求項２０】
前記第１乃至第３の受信部と、前記第１乃至第３の受信部により周波数変換後の信号から映像信号および音声信号を復調する復調部を有するチューナモジュール部と、
上記チューナモジュール部に駆動電力を供給する電力供給部と
を含み、
上記チューナモジュール部および上記電力供給部は、
１つの基板に隔離して配置され、
上記電力供給部は、
少なくとも上記第１乃至第３の受信部に駆動電力を供給可能な複数のレギュレータを有し、
受信放送信号に応じて、上記複数のレギュレータに対応する受信部に、駆動電力を選択的に供給可能である
請求項１に記載の受信装置。
【請求項２１】
衛星波デジタル放送信号が入力される第１の入力端子と、
アナログまたはデジタルの地上波放送信号が入力される第２の入力端子と
をさらに含み、
前記第３の受信部は、第１及び第２の中間配置受信部により構成されており、
上記チューナモジュール部は、
上記第１の入力端子から入力された衛星波デジタル放送信号を第１の衛星波放送信号および第２の衛星波放送信号に分配する第１の分配部と、
上記第２の入力端子から入力された地上波放送信号を第１の地上波放送信号および第２の地上波放送信号に分配する第２の分配部と、
上記第１の分配部により分配された上記第１の衛星波放送信号を受信して第１のベースバンド信号に周波数変換する第１の中間配置受信部と、
上記第１の分配部により分配された上記第２の衛星波放送信号を受信して第２のベースバンド信号に周波数変換する第２の中間配置受信部と、
上記第２の分配部により分配された上記第１の地上波放送信号を受信して第１の中間周波信号に周波数変換する第１の受信部と、
上記第２の分配部により分配された上記第２の地上波放送信号を受信して第２の中間周波信号に周波数変換する第２の受信部と、
上記第１の中間配置受信部による上記第１のベースバンド信号および上記第１の受信部による上記第１の中間周波信号の復調機能を有する第１の復調部と、
上記第２の中間配置受信部による上記第２のベースバンド信号および上記第２の受信部による上記第２の中間周波信号の復調機能を有する第２の復調部と
を有し、
上記電力供給部は、
上記第１の中間配置受信部、上記第２の中間配置受信部、上記第１の受信部、および上記第２の受信部に、選択的に駆動電力を供給可能である
請求項２０に記載の受信装置。
【請求項２２】
上記電力供給部は、
上記第１の中間配置受信部、上記第２の中間配置受信部、上記第１の受信部、および上記第２の受信部のうち複数の受信部に共通で選択的に駆動電力を供給可能であり、
共通に駆動電力を供給した複数の受信部のうち受信中の放送波に対して非処理の周波数変換部をスリープ状態に保持する機能を有する
請求項２１に記載の受信装置。
【請求項２３】
上記第１の分配部は、
上記第１の入力端子から入力した衛星波デジタル放送信号を増幅する第１の増幅器を有し、
上記第２の分配部は、
上記第２の入力端子から入力した地上波放送信号を増幅する第２の増幅器を有し、
上記電力供給部は、
受信放送信号に応じて、上記第１の増幅器および上記第２の増幅器に駆動電力を選択的に供給可能である
請求項２１または２２に記載の受信装置。
【請求項２４】
上記第１の入力端子から入力された衛星波デジタル放送信号を出力するための第１の出力端子と、
上記第２の入力端子から入力された地上波放送信号を出力するための第２の出力端子と
をさらに含み、
上記第１の分配部は、
上記第１の入力端子から入力された衛星波デジタル放送信号を第１の衛星波放送信号および第２の衛星波放送信号に分配し、かつ、当該入力された衛星波デジタル放送信号を上記第１の出力端子に供給し、
上記第２の分配部は、
上記第２の入力端子から入力された地上波放送信号を第１の地上波放送信号および第２の地上波放送信号に分配し、かつ、当該入力された地上波放送信号を上記第２の出力端子に供給する
請求項２１から２３のいずれか１つに記載の受信装置。
【請求項２５】
上記第１の復調部は、
デジタル復調およびアナログ復調機能と、
上記第１のベースバンド信号の映像信号および音声信号を復調し、第１のトランスポートストリームを生成する機能と、
上記第１の中間周波信号が地上波デジタル放送信号を周波数変換した信号である場合、当該第１の中間周波信号の映像信号および音声信号を復調し、第２のトランスポートストリームを生成する機能と、
上記第１の中間周波信号が地上波アナログ放送信号を周波数変換した信号である場合、当該第１の中間周波信号の映像信号および音声信号を復調し、アナログ映像信号およびアナログ音声信号を生成する機能と
を有し、
上記第２の復調部は、
デジタル復調機能と、
上記第２のベースバンド信号の映像信号および音声信号を復調し、第３のトランスポートストリームを生成する機能と、
上記第２の中間周波信号が地上波デジタル放送信号を周波数変換した信号である場合、当該第２の中間周波信号の映像信号および音声信号を復調し、第４のトランスポートストリームを生成する機能と
を有する請求項２１から２４のいずれか１つに記載の受信装置。
【請求項２６】
上記第１の復調部で生成されるトランスポートストリームを出力するための第３の出力端子と、
上記第２の復調部で生成されるトランスポートストリームを出力するための第４の出力端子と、
上記第１の復調部で生成されるアナログ映像信号を出力するための第５の出力端子と、
上記第１の復調部で生成されるアナログ音声信号を出力するための第６の出力端子と
をさらに含み、
上記第１の復調部は、
生成した上記第１のトランスポートストリームまたは上記第２のトランスポートストリームを上記第３の出力端子に供給し、
生成したアナログ映像信号を上記第５の出力端子に供給し、アナログ音声信号を上記第６の出力端子に供給する
請求項２５に記載の受信装置。
【請求項２７】
上記第１の中間配置受信部、上記第２の中間配置受信部、上記第１の受信部、および上記第２の受信部は、
上記第１の分配部および上記第２の分配部の分配出力に対して並列に配置され、
上記地上波放送信号の周波数変換を行う上記第１の受信部および上記第２の受信部が並列配置の外側に配置され、
上記第１の受信部の配置部と上記第２の受信部の配置部との間に、上記第１の中間配置受信部および上記第２の中間配置受信部が並列に配置されている
請求項２１から２６のいずれか１つに記載の受信装置。
【請求項２８】
並列配置される上記第１の中間配置受信部、上記第２の中間配置受信部、上記第１の受信部、および上記第２の受信部は、
一方の外側配置部から、上記第１の受信部、上記第１の中間配置受信部、上記第２の中間配置受信部、および上記第２の受信部の順に配置されている
請求項２７に記載の受信装置。
【請求項２９】
上記第１の復調部および上記第２の復調部は、
上記並列配置された上記第１の受信部、上記第１の中間配置受信部、上記第２の中間配置受信部、および上記第２の受信部の出力に対して並列に配置され、
上記第１の受信部および上記第１の中間配置受信部は、
出力側が上記第１の復調部の入力側に対向するように並列に配置され、
上記第２の中間配置受信部および上記第２の受信部は、
出力側が上記第２の復調部の入力側に対向するように並列に配置されている
請求項２８に記載の受信装置。
【請求項３０】
並列配置される上記第１の中間配置受信部、上記第２の中間配置受信部、上記第１の受信部、および上記第２の受信部は、
一方の外側配置部から、上記第１の受信部、上記第２の中間配置受信部、上記第１の中間配置受信部、および上記第２の受信部の順に配置されている
請求項２７に記載の受信装置。
【請求項３１】
上記第１の復調部および上記第２の復調部は、
上記並列配置された上記第１の受信部、上記第２の中間配置受信部、上記第１の中間配置受信部、および上記第２の受信部の出力に対して並列に配置され、
上記第１の受信部および上記第２の中間配置受信部は、
出力側が上記第１の復調部の入力側に対向するように並列に配置され、
上記第１の中間配置受信部および上記第２の受信部は、
出力側が上記第２の復調部の入力側に対向するように並列に配置されている
請求項３０に記載の受信装置。
【請求項３２】
上記第１の分配部は、
上記第１の入力端子から入力した衛星波デジタル放送信号の不要成分を除去するフィルタと、
上記フィルタの出力信号を増幅する第１の増幅器と、
上記第１の増幅器の出力信号を上記第１の衛星波放送信号、上記第２の衛星波放送信号、および出力用衛星波デジタル放送信号に分配する分配器と
を有し、
上記分配器は、
上記第１の衛星波放送信号を上記第１の中間配置受信部に供給し、
上記第２の衛星波放送信号を上記第２の中間配置受信部に供給し、
上記出力用衛星波デジタル放送信号を上記第１の出力端子に供給する
請求項２１から３１のいずれか１つに記載の受信装置。
【請求項３３】
上記第１の分配部は、
上記第１の入力端子から入力した衛星波デジタル放送信号の不要成分を除去するフィルタと、
上記フィルタの出力信号を２つの衛星波デジタル放送信号に分配する第１の分配器と、
上記第１の分配器で分配された一方の衛星波デジタル放送信号を増幅する第１の増幅器と、
上記第１の増幅器の出力信号を上記第１の衛星波放送信号、および上記第２の衛星波放送信号に分配する第２の分配器と
を有し、
上記第１の分配器は、
分配した他方の衛星波デジタル放送信号を上記第１の出力端子に供給し、
上記第２の分配器は、
上記第１の衛星波放送信号を上記第１の中間配置受信部に供給し、
上記第２の衛星波放送信号を上記第２の中間配置受信部に供給する
請求項２１から３１のいずれか１つに記載の受信装置。
【請求項３４】
上記第２の分配部は、
上記第２の入力端子から入力した地上波放送信号の不要成分を除去するフィルタと、
上記フィルタの出力信号を増幅する第２の増幅器と、
上記第２の増幅器の出力信号を上記第１の地上波放送信号、上記第２の地上波放送信号、および出力用地上波放送信号に分配する分配器と
を有し、
上記分配器は、
上記第１の地上波放送信号を上記第１の受信部に供給し、
上記第２の地上波放送信号を上記第２の受信部に供給し、
上記出力用地上波放送信号を上記第２の出力端子に供給する
請求項２１から３３のいずれか１つに記載の受信装置。
【請求項３５】
上記第２の分配部は、
上記第２の入力端子から入力した地上波放送信号の不要成分を除去するフィルタと、
上記フィルタの出力信号を２つの地上波放送信号に分配する第３の分配器と、
上記第３の分配器で分配された一方の地上波放送信号を増幅する第２の増幅器と、
上記第２の増幅器の出力信号を上記第１の地上波放送信号および上記第２の地上波放送信号に分配する第４の分配器と
を有し、
上記第３の分配器は、
分配した他方の地上波放送信号を上記第２の出力端子に供給し、
上記第４の分配器は、
上記第１の地上波放送信号を上記第１の受信部に供給し、
上記第２の地上波放送信号を上記第２の受信部に供給する
請求項２１から３３のいずれか１つに記載の受信装置。
【請求項３６】
入力された放送信号を複数の放送信号に分配する分配部と、
それぞれ上記分配部で分配された複数の放送信号を受けて周波数変換を行う前記第１乃至第３の受信部を有するチューナ部と、
上記分配部で分配した放送信号を対応する受信部に伝播する複数の信号ラインのうちの少なくとも一つに配置されたアイソレーションアンプ部と
を含み、
上記アイソレーションアンプ部は、
上記分配部で分配した放送信号が制御端子に入力されて、インピーダンス変換により低インピーダンス出力を行うトランジスタにより形成されるバッファアンプを有する
請求項１に記載の受信装置。
【請求項３７】
上記アイソレーションアンプ部は、
上記バッファアンプの入力側および出力側の少なくとも一方にアッテネータが配置されている
請求項３６に記載の受信装置。
【請求項３８】
衛星波デジタル放送信号が入力される第１の入力端子と、
アナログまたはデジタルの地上波放送信号が入力される第２の入力端子と、
上記第１の入力端子から入力された衛星波デジタル放送信号を出力するための第１の出力端子と、
上記第２の入力端子から入力された地上波放送信号を出力するための第２の出力端子と
をさらに含み、
上記分配部は、
上記第１の入力端子から入力された衛星波デジタル放送信号を第１の衛星波放送信号および第２の衛星波放送信号に分配し、かつ、当該入力された衛星波デジタル放送信号を上記第１の出力端子に供給する第１の分配部と、
上記第２の入力端子から入力された地上波放送信号を第１の地上波放送信号および第２の地上波放送信号に分配し、かつ、当該入力された地上波放送信号を上記第２の出力端子に供給する第２の分配部と
を有し、
前記第３の受信部は、第１および第２の中間配置受信部により構成されており、
上記チューナ部は、
第１の信号ラインを介して、上記第１の分配部により分配された上記第１の衛星波放送信号を受信して第１のベースバンド信号に周波数変換する第１の中間配置受信部と、
第２の信号ラインを介して、上記第１の分配部により分配された上記第２の衛星波放送信号を受信して第２のベースバンド信号に周波数変換する第２の中間配置受信部と、
第３の信号ラインを介して、上記第２の分配部により分配された上記第１の地上波放送信号を受信して第１の中間周波信号に周波数変換する第１の受信部と、
第４の信号ラインを介して、上記第２の分配部により分配された上記第２の地上波放送信号を受信して第２の中間周波信号に周波数変換する第２の受信部と
を有し、
上記アイソレーションアンプ部は、
上記第１の分配部および上記第２の分配部のうち、少なくとも上記第２の分配部に接続された上記第３の信号ラインおよび上記第４の信号ラインのうちの少なくとも一方に配置されている
請求項３６または３７に記載の受信装置。
【請求項３９】
上記第２の分配部は、
上記第２の入力端子から入力した地上波放送信号の不要成分を除去するフィルタと、
上記フィルタの出力信号を２つの地上波放送信号に分配する第１の分配器と、
上記第１の分配器で分配された一方の地上波放送信号を増幅する増幅器と、
上記増幅器の出力信号を上記第１の地上波放送信号および上記第２の地上波放送信号に分配する第２の分配器と
を有し、
上記第１の分配器は、
分配した他方の地上波放送信号を上記第２の出力端子に供給し、
上記第２の分配器は、
上記第３の信号ラインを介して上記第１の地上波放送信号を上記第１の受信部に供給し、
上記第４の信号ラインを介して上記第２の地上波放送信号を上記第２の受信部に供給する
請求項３８に記載の受信装置。
【請求項４０】
上記第１の分配部は、
上記第１の入力端子から入力した衛星波デジタル放送信号の不要成分を除去するフィルタと、
上記フィルタの出力信号を増幅する増幅器と、
上記増幅器の出力信号を上記第１の衛星波放送信号、上記第２の衛星波放送信号、および出力用衛星波デジタル放送信号に分配する分配器と
を有し、
上記分配器は、
上記第１の信号ラインを介して上記第１の衛星波放送信号を上記第１の中間配置受信部に供給し、
上記第２の信号ラインを介して上記第２の衛星波放送信号を上記第２の中間配置受信部に供給し、
上記出力用衛星波デジタル放送信号を上記第１の出力端子に供給する
請求項３８または３９に記載の受信装置。
【請求項４１】
上記第１の分配部は、
上記第１の入力端子から入力した衛星波デジタル放送信号の不要成分を除去するフィルタと、
上記フィルタの出力信号を２つの衛星波デジタル放送信号に分配する第３の分配器と、
上記第３の分配器で分配された一方の衛星波デジタル放送信号を増幅する増幅器と、
上記増幅器の出力信号を上記第１の衛星波放送信号、および上記第２の衛星波放送信号に分配する第４の分配器と
を有し、
上記第３の分配器は、
分配した他方の衛星波デジタル放送信号を上記第１の出力端子に供給し、
上記第２の分配器は、
上記第１の信号ラインを介して上記第１の衛星波放送信号を上記第１の中間配置受信部に供給し、
上記第２の信号ラインを介して上記第２の衛星波放送信号を上記第２の中間配置受信部に供給する
請求項３８または３９に記載の受信装置。
【請求項４２】
上記チューナ部は、
上記第１の中間配置受信部による上記第１のベースバンド信号および上記第１の受信部による上記第１の中間周波信号の復調機能を有する第１の復調部と、
上記第２の中間配置受信部による上記第２のベースバンド信号および上記第２の受信部による上記第２の中間周波信号の復調機能を有する第２の復調部と
を有し、
上記第１の復調部は、
デジタル復調およびアナログ復調機能と、
上記第１のベースバンド信号の映像信号および音声信号を復調し、第１のトランスポートストリームを生成する機能と、
上記第１の中間周波信号が地上波デジタル放送信号を周波数変換した信号である場合、当該第１の中間周波信号の映像信号および音声信号を復調し、第２のトランスポートストリームを生成する機能と、
上記第１の中間周波信号が地上波アナログ放送信号を周波数変換した信号である場合、当該第１の中間周波信号の映像信号および音声信号を復調し、アナログ映像信号およびアナログ音声信号を生成する機能と
を有し、
上記第２の復調部は、
デジタル復調機能と、
上記第２のベースバンド信号の映像信号および音声信号を復調し、第３のトランスポートストリームを生成する機能と、
上記第２の中間周波信号が地上波デジタル放送信号を周波数変換した信号である場合、当該第２の中間周波信号の映像信号および音声信号を復調し、第４のトランスポートストリームを生成する機能と
を有する請求項３８から４１のいずれか１つに記載の受信装置。
【請求項４３】
上記第１の復調部で生成されるトランスポートストリームを出力するための第３の出力端子と、
上記第２の復調部で生成されるトランスポートストリームを出力するための第４の出力端子と、
上記第１の復調部で生成されるアナログ映像信号を出力するための第５の出力端子と、
上記第１の復調部で生成されるアナログ音声信号を出力するための第６の出力端子と
をさらに含み、
上記第１の復調部は、
生成した上記第１のトランスポートストリームまたは上記第２のトランスポートストリームを上記第３の出力端子に供給し、
生成したアナログ映像信号を上記第５の出力端子に供給し、アナログ音声信号を上記第６の出力端子に供給する
請求項４２に記載の受信装置。
【請求項４４】
上記第１の中間配置受信部、上記第２の中間配置受信部、上記第１の受信部、および上記第２の受信部は、
上記第１の分配部および上記第２の分配部の分配出力に対して並列に配置され、
上記地上波放送信号の周波数変換を行う上記第１の受信部および上記第２の受信部が並列配置の外側に配置され、
上記第１の受信部の配置部と上記第２の受信部の配置部との間に、上記第１の中間配置受信部および上記第２の中間配置受信部が並列に配置されている
請求項３８から４３のいずれか１つに記載の受信装置。
【請求項４５】
並列配置される上記第１の中間配置受信部、上記第２の中間配置受信部、上記第１の受信部、および上記第２の受信部は、
一方の外側配置部から、上記第１の受信部、上記第１の中間配置受信部、上記第２の中間配置受信部、および上記第２の受信部の順に配置されている
請求項４４に記載の受信装置。
【請求項４６】
上記第１の復調部および上記第２の復調部は、
上記並列配置された上記第１の受信部、上記第１の中間配置受信部、上記第２の中間配置受信部、および上記第２の受信部の出力に対して並列に配置され、
上記第１の受信部および上記第１の中間配置受信部は、
出力側が上記第１の復調部の入力側に対向するように並列に配置され、
上記第２の中間配置受信部および上記第２の受信部は、
出力側が上記第２の復調部の入力側に対向するように並列に配置されている
請求項４５に記載の受信装置。
【請求項４７】
並列配置される上記第１の中間配置受信部、上記第２の中間配置受信部、上記第１の受信部、および上記第２の受信部は、
一方の外側配置部から、上記第１の受信部、上記第２の中間配置受信部、上記第１の中間配置受信部、および上記第２の受信部の順に配置されている
請求項４４に記載の受信装置。
【請求項４８】
上記第１の復調部および上記第２の復調部は、
上記並列配置された上記第１の受信部、上記第２の中間配置受信部、上記第１の中間配置受信部、および上記第２の受信部の出力に対して並列に配置され、
上記第１の受信部および上記第２の中間配置受信部は、
出力側が上記第１の復調部の入力側に対向するように並列に配置され、
上記第１の中間配置受信部および上記第２の受信部は、
出力側が上記第２の復調部の入力側に対向するように並列に配置されている
請求項４７に記載の受信装置。
【発明の詳細な説明】
【技術分野】
【０００１】
本発明は、アナログテレビジョン放送信号およびデジタルテレビジョン放送信号を受信するフロントエンドモジュールを形成する受信装置に関するものである。
【背景技術】
【０００２】
近年、地上波アナログテレビジョン放送、地上波デジタルテレビジョン放送、衛星波デジタルテレビジョン放送が同時に送信されており、様々な放送波の組み合わせで２つのチャンネルでの同時視聴や同時録画が必要とされてきている。【０００３】
また、録画機器の場合、さらに別のモジュールに信号出力端子からＲＦ信号であるテレビジョン放送信号を出力することも必要とされている。【０００４】
これらを実現しようとする場合、１個のスプリッタモジュールと２個もしくは３個のフロントエンドモジュールを各々別個に装備するように構成される（たとえば特許文献１参照）。また、このフロントエンドモジュールは、アナログテレビジョン放送およびデジタルテレビジョン放送を受信するチューナモジュールと、チューナモジュールに電源を供給する回路は別基板で搭載されている。【０００５】
特許文献２には、複数のチューナを有するデジタル放送受信装置が記載されている。
【先行技術文献】
【特許文献】
【０００６】
【特許文献１】特開２００７−１１６３５８号公報
【特許文献２】ＷＯ２００６−１０９４７７号公報
【発明の概要】
【発明が解決しようとする課題】
【０００７】
ところで、特許文献１に開示された技術では、１個のスプリッタモジュールと２個もしくは３個のフロントエンドモジュールを各々別個に装備する必要がある。また、チューナモジュールと、チューナモジュールに電力を供給する回路は別基板で搭載されている。しかしこれでは部品点数が多くなり、構成が複雑になると共に受信装置内に部品を装備する際のスペースにも制約が生じるという不利益がある。【０００８】
特許文献２のように、テレビジョンチューナを複数搭載する際、テレビジョンチューナ間の妨害がしばしば問題となる。たとえば、１個のテレビジョンチューナの局発周波数が、他のテレビジョンチューナの希望周波数帯域内に重なってくることがある。特に、信号ラインを通ってくる妨害波に対しては、受信帯域内の場合、妨害波の信号レベルは分配器のアイソレーション性能に依存する。アナログ放送の場合、妨害波がビートとして検知できるレベルが非常にセンシティブであり、可能な限り妨害波の影響を低減させる必要がある。【０００９】
本発明は、構成の複雑化を招くことなく、妨害波の影響を低減することが可能で、１つのフロントエンドモジュールでアナログおよびデジタル放送信号を干渉なく受信することが可能な受信装置を提供することにある。
【課題を解決するための手段】
【００１０】
本発明の一側面の受信装置は、第１の周波数帯域の放送信号を受信する第１および第２の受信部と、上記第１の周波数帯域とは異なる第２の周波数帯域の放送信号を受信する第３の受信部とを含み、上記第１および第２の受信部の間には、上記第３の受信部が配置されている受信装置である。
上記第１および第２の受信部の間には、複数個の上記第３の受信部を配置することができる。
上記第１乃至第３の受信部には、受信した放送信号を周波数変換させることができる。
上記第１および第２の受信部の間には、２個の上記第３の受信部として、第１および第２の中間配置受信部が配置されており、上記第１および第２の受信部には、上記第１の周波数帯域の放送信号として、UHFまたはVHFの周波数帯域の地上波放送信号を受信して中間周波信号に周波数変換させ、上記第１および第２の中間配置受信部には、上記第２の周波数帯域の放送信号として、SHFの周波数帯域の衛星波デジタル放送信号を受信してベースバンド信号に周波数変換させることができる。
衛星波デジタル放送信号が入力される第１の入力端子と、アナログまたはデジタルの地上波放送信号が入力される第２の入力端子と、上記第１の入力端子から入力された衛星波デジタル放送信号を出力するための第１の出力端子と、上記第２の入力端子から入力された地上波放送信号を出力するための第２の出力端子と、上記第１の入力端子から入力された衛星波デジタル放送信号を第１の衛星波放送信号および第２の衛星波放送信号に分配し、かつ、当該入力された衛星波デジタル放送信号を上記第１の出力端子に供給する第１の分配部と、上記第２の入力端子から入力された地上波放送信号を第１の地上波放送信号および第２の地上波放送信号に分配し、かつ、当該入力された地上波放送信号を上記第２の出力端子に供給する第２の分配部とをさらに設けることができ、前記第１の中間配置受信部には、上記第１の分配部により分配された上記第１の衛星波放送信号を受信して第１のベースバンド信号に周波数変換させ、前記第２の中間配置受信部には、上記第１の分配部により分配された上記第２の衛星波放送信号を受信して第２のベースバンド信号に周波数変換させ、前記第１の受信部には、上記第２の分配部により分配された上記第１の地上波放送信号を受信して第１の中間周波信号に周波数変換させ、前記第２の受信部には、上記第２の分配部により分配された上記第２の地上波放送信号を受信して第２の中間周波信号に周波数変換させることができる。
上記第１の中間配置受信部による上記第１のベースバンド信号および上記第１の受信部による上記第１の中間周波信号の復調機能を有する第１の復調部と、上記第２の中間配置受信部による上記第２のベースバンド信号および上記第２の受信部による上記第２の中間周波信号の復調機能を有する第２の復調部と、をさらに設けることができる。
上記第１の復調部は、デジタル復調およびアナログ復調機能を有し、上記第１のベースバンド信号の映像信号および音声信号を復調し、第１のトランスポートストリームを生成する機能と、上記第１の中間周波信号が地上波デジタル放送信号を周波数変換した信号である場合、当該第１の中間周波信号の映像信号および音声信号を復調し、第２のトランスポートストリームを生成する機能と、上記第１の中間周波信号が地上波アナログ放送信号を周波数変換した信号である場合、当該第１の中間周波信号の映像信号および音声信号を復調し、アナログ映像信号およびアナログ音声信号を生成する機能とを有することができる。
上記第２の復調部は、デジタル復調機能を有し、上記第２のベースバンド信号の映像信号および音声信号を復調し、第３のトランスポートストリームを生成する機能と、上記第２の中間周波信号が地上波デジタル放送信号を周波数変換した信号である場合、当該第２の中間周波信号の映像信号および音声信号を復調し、第４のトランスポートストリームを生成する機能とを有することができる。
上記第１の復調部で生成されるトランスポートストリームを出力するための第３の出力端子と、上記第２の復調部で生成されるトランスポートストリームを出力するための第４の出力端子と、上記第１の復調部で生成されるアナログ映像信号を出力するための第５の出力端子と、上記第１の復調部で生成されるアナログ音声信号を出力するための第６の出力端子とをさらに設けることができ、上記第１の復調部は、生成した上記第１のトランスポートストリームまたは上記第２のトランスポートストリームを上記第３の出力端子に供給し、生成したアナログ映像信号を上記第５の出力端子に供給し、アナログ音声信号を上記第６の出力端子に供給することができる。
上記第１の中間配置受信部、上記第２の中間配置受信部、上記第１の受信部、および上記第２の受信部は、上記第１の分配部および上記第２の分配部の分配出力に対して並列に配置され、上記地上波放送信号の周波数変換を行う上記第１の受信部および上記第２の受信部が並列配置の外側に配置され、上記第１の受信部の配置部と上記第２の受信部の配置部との間に、上記第１の中間配置受信部および上記第２の中間配置受信部が並列に配置されているようにすることができる。
並列配置される上記第１の中間配置受信部、上記第２の中間配置受信部、上記第１の受信部、および上記第２の受信部は、一方の外側配置部から、上記第１の受信部、上記第１の中間配置受信部、上記第２の中間配置受信部、および上記第２の受信部の順に配置されているようにすることができる。
上記第１の復調部および上記第２の復調部は、上記並列配置された上記第１の受信部、上記第１の中間配置受信部、上記第２の中間配置受信部、および上記第２の受信部の出力に対して並列に配置され、上記第１の受信部および上記第１の中間配置受信部は、出力側が上記第１の復調部の入力側に対向するように並列に配置され、上記第２の中間配置受信部および上記第２の受信部は、出力側が上記第２の復調部の入力側に対向するように並列に配置されているようにすることができる。
並列配置される上記第１の中間配置受信部、上記第２の中間配置受信部、上記第１の受信部、および上記第２の受信部は、一方の外側配置部から、上記第１の受信部、上記第２の中間配置受信部、上記第１の中間配置受信部、および上記第２の受信部の順に配置されているようにすることができる。
上記第１の復調部および上記第２の復調部は、上記並列配置された上記第１の受信部、上記第２の中間配置受信部、上記第１の中間配置受信部、および上記第２の受信部の出力に対して並列に配置され、上記第１の受信部および上記第２の中間配置受信部は、出力側が上記第１の復調部の入力側に対向するように並列に配置され、上記第１の中間配置受信部および上記第２の受信部は、出力側が上記第２の復調部の入力側に対向するように並列に配置されているようにすることができる。
上記第１の分配部は、上記第１の入力端子から入力した衛星波デジタル放送信号の不要成分を除去するフィルタと、上記フィルタの出力信号を増幅する増幅器と、上記増幅器の出力信号を上記第１の衛星波放送信号、上記第２の衛星波放送信号、および出力用衛星波デジタル放送信号に分配する分配器とを有し、上記分配器は、上記第１の衛星波放送信号を上記第１の中間配置受信部に供給し、上記第２の衛星波放送信号を上記第２の中間配置受信部に供給し、上記出力用衛星波デジタル放送信号を上記第１の出力端子に供給することができる。
上記第１の分配部は、上記第１の入力端子から入力した衛星波デジタル放送信号の不要成分を除去するフィルタと、上記フィルタの出力信号を２つの衛星波デジタル放送信号に分配する第１の分配器と、上記第１の分配器で分配された一方の衛星波デジタル放送信号を増幅する増幅器と、上記増幅器の出力信号を上記第１の衛星波放送信号、および上記第２の衛星波放送信号に分配する第２の分配器とを有し、上記第１の分配器は、分配した他方の衛星波デジタル放送信号を上記第１の出力端子に供給し、上記第２の分配器は、上記第１の衛星波放送信号を上記第１の中間配置受信部に供給し、上記第２の衛星波放送信号を上記第２の中間配置受信部に供給することができる。
上記第２の分配部は、上記第２の入力端子から入力した地上波放送信号の不要成分を除去するフィルタと、上記フィルタの出力信号を増幅する増幅器と、上記増幅器の出力信号を上記第１の地上波放送信号、上記第２の地上波放送信号、および出力用地上波放送信号に分配する分配器とを有し、上記分配器は、上記第１の地上波放送信号を上記第１の受信部に供給し、上記第２の地上波放送信号を上記第２の受信部に供給し、上記出力用地上波放送信号を上記第２の出力端子に供給することができる。
上記第２の分配部は、上記第２の入力端子から入力した地上波放送信号の不要成分を除去するフィルタと、上記フィルタの出力信号を２つの地上波放送信号に分配する第３の分配器と、上記第３の分配器で分配された一方の地上波放送信号を増幅する増幅器と、上記増幅器の出力信号を上記第１の地上波放送信号および上記第２の地上波放送信号に分配する第４の分配器とを有し、上記第３の分配器は、分配した他方の地上波放送信号を上記第２の出力端子に供給し、上記第４の分配器は、上記第１の地上波放送信号を上記第１の受信部に供給し、上記第２の地上波放送信号を上記第２の受信部に供給することができる。
前記第１乃至第３の受信手段は、モジュール基板上に並列配置されており、前記第１および第２の受信手段は、前記モジュール基板の縁部側に配置されているようにすることができる。
前記第１乃至第３の受信部と、前記第１乃至第３の受信部により周波数変換後の信号から映像信号および音声信号を復調する復調部を有するチューナモジュール部と、上記チューナモジュール部に駆動電力を供給する電力供給部とを含み、上記チューナモジュール部および上記電力供給部は、１つの基板に隔離して配置され、上記電力供給部は、少なくとも上記第１乃至第３の受信部に駆動電力を供給可能な複数のレギュレータを有し、受信放送信号に応じて、上記複数のレギュレータに対応する受信部に、駆動電力を選択的に供給可能であるようにすることができる。
衛星波デジタル放送信号が入力される第１の入力端子と、アナログまたはデジタルの地上波放送信号が入力される第２の入力端子とをさらに設けることができ、前記第３の受信部は、第１及び第２の中間配置受信部により構成されており、上記チューナモジュール部は、上記第１の入力端子から入力された衛星波デジタル放送信号を第１の衛星波放送信号および第２の衛星波放送信号に分配する第１の分配部と、上記第２の入力端子から入力された地上波放送信号を第１の地上波放送信号および第２の地上波放送信号に分配する第２の分配部と、上記第１の分配部により分配された上記第１の衛星波放送信号を受信して第１のベースバンド信号に周波数変換する第１の中間配置受信部と、上記第１の分配部により分配された上記第２の衛星波放送信号を受信して第２のベースバンド信号に周波数変換する第２の中間配置受信部と、上記第２の分配部により分配された上記第１の地上波放送信号を受信して第１の中間周波信号に周波数変換する第１の受信部と、上記第２の分配部により分配された上記第２の地上波放送信号を受信して第２の中間周波信号に周波数変換する第２の受信部と、上記第１の中間配置受信部による上記第１のベースバンド信号および上記第１の受信部による上記第１の中間周波信号の復調機能を有する第１の復調部と、上記第２の中間配置受信部による上記第２のベースバンド信号および上記第２の受信部による上記第２の中間周波信号の復調機能を有する第２の復調部とを有し、上記電力供給部は、上記第１の中間配置受信部、上記第２の中間配置受信部、上記第１の受信部、および上記第２の受信部に、選択的に駆動電力を供給可能であるようにすることができる。
上記電力供給部は、上記第１の中間配置受信部、上記第２の中間配置受信部、上記第１の受信部、および上記第２の受信部のうち複数の受信部に共通で選択的に駆動電力を供給可能であり、共通に駆動電力を供給した複数の受信部のうち受信中の放送波に対して非処理の周波数変換部をスリープ状態に保持する機能を有するようにすることができる。
上記第１の分配部は、上記第１の入力端子から入力した衛星波デジタル放送信号を増幅する第１の増幅器を有し、上記第２の分配部は、上記第２の入力端子から入力した地上波放送信号を増幅する第２の増幅器を有し、上記電力供給部は、受信放送信号に応じて、上記第１の増幅器および上記第２の増幅器に駆動電力を選択的に供給可能であるようにすることができる。
上記第１の入力端子から入力された衛星波デジタル放送信号を出力するための第１の出力端子と、上記第２の入力端子から入力された地上波放送信号を出力するための第２の出力端子とをさらに設けることができ、上記第１の分配部は、上記第１の入力端子から入力された衛星波デジタル放送信号を第１の衛星波放送信号および第２の衛星波放送信号に分配し、かつ、当該入力された衛星波デジタル放送信号を上記第１の出力端子に供給し、上記第２の分配部は、上記第２の入力端子から入力された地上波放送信号を第１の地上波放送信号および第２の地上波放送信号に分配し、かつ、当該入力された地上波放送信号を上記第２の出力端子に供給することができる。
上記第１の復調部は、デジタル復調およびアナログ復調機能を有し、上記第１のベースバンド信号の映像信号および音声信号を復調し、第１のトランスポートストリームを生成する機能と、上記第１の中間周波信号が地上波デジタル放送信号を周波数変換した信号である場合、当該第１の中間周波信号の映像信号および音声信号を復調し、第２のトランスポートストリームを生成する機能と、上記第１の中間周波信号が地上波アナログ放送信号を周波数変換した信号である場合、当該第１の中間周波信号の映像信号および音声信号を復調し、アナログ映像信号およびアナログ音声信号を生成する機能とを有し、上記第２の復調部は、デジタル復調機能を有し、上記第２のベースバンド信号の映像信号および音声信号を復調し、第３のトランスポートストリームを生成する機能と、上記第２の中間周波信号が地上波デジタル放送信号を周波数変換した信号である場合、当該第２の中間周波信号の映像信号および音声信号を復調し、第４のトランスポートストリームを生成する機能とを有することができる。
上記第１の復調部で生成されるトランスポートストリームを出力するための第３の出力端子と、上記第２の復調部で生成されるトランスポートストリームを出力するための第４の出力端子と、上記第１の復調部で生成されるアナログ映像信号を出力するための第５の出力端子と、上記第１の復調部で生成されるアナログ音声信号を出力するための第６の出力端子とをさらに設けることができ、上記第１の復調部は、生成した上記第１のトランスポートストリームまたは上記第２のトランスポートストリームを上記第３の出力端子に供給し、生成したアナログ映像信号を上記第５の出力端子に供給し、アナログ音声信号を上記第６の出力端子に供給することができる。
上記第１の中間配置受信部、上記第２の中間配置受信部、上記第１の受信部、および上記第２の受信部は、上記第１の分配部および上記第２の分配部の分配出力に対して並列に配置され、上記地上波放送信号の周波数変換を行う上記第１の受信部および上記第２の受信部が並列配置の外側に配置され、上記第１の受信部の配置部と上記第２の受信部の配置部との間に、上記第１の中間配置受信部および上記第２の中間配置受信部が並列に配置されているようにすることができる。
並列配置される上記第１の中間配置受信部、上記第２の中間配置受信部、上記第１の受信部、および上記第２の受信部は、一方の外側配置部から、上記第１の受信部、上記第１の中間配置受信部、上記第２の中間配置受信部、および上記第２の受信部の順に配置されているようにすることができる。
上記第１の復調部および上記第２の復調部は、上記並列配置された上記第１の受信部、上記第１の中間配置受信部、上記第２の中間配置受信部、および上記第２の受信部の出力に対して並列に配置され、上記第１の受信部および上記第１の中間配置受信部は、出力側が上記第１の復調部の入力側に対向するように並列に配置され、上記第２の中間配置受信部および上記第２の受信部は、出力側が上記第２の復調部の入力側に対向するように並列に配置されているようにすることができる。
並列配置される上記第１の中間配置受信部、上記第２の中間配置受信部、上記第１の受信部、および上記第２の受信部は、一方の外側配置部から、上記第１の受信部、上記第２の中間配置受信部、上記第１の中間配置受信部、および上記第２の受信部の順に配置されているようにすることができる。
上記第１の復調部および上記第２の復調部は、上記並列配置された上記第１の受信部、上記第２の中間配置受信部、上記第１の中間配置受信部、および上記第２の受信部の出力に対して並列に配置され、上記第１の受信部および上記第２の中間配置受信部は、出力側が上記第１の復調部の入力側に対向するように並列に配置され、上記第１の中間配置受信部および上記第２の受信部は、出力側が上記第２の復調部の入力側に対向するように並列に配置されているようにすることができる。
上記第１の分配部は、上記第１の入力端子から入力した衛星波デジタル放送信号の不要成分を除去するフィルタと、上記フィルタの出力信号を増幅する第１の増幅器と、上記第１の増幅器の出力信号を上記第１の衛星波放送信号、上記第２の衛星波放送信号、および出力用衛星波デジタル放送信号に分配する分配器とを有し、上記分配器は、上記第１の衛星波放送信号を上記第１の中間配置受信部に供給し、上記第２の衛星波放送信号を上記第２の中間配置受信部に供給し、上記出力用衛星波デジタル放送信号を上記第１の出力端子に供給することができる。
上記第１の分配部は、上記第１の入力端子から入力した衛星波デジタル放送信号の不要成分を除去するフィルタと、上記フィルタの出力信号を２つの衛星波デジタル放送信号に分配する第１の分配器と、上記第１の分配器で分配された一方の衛星波デジタル放送信号を増幅する第１の増幅器と、上記第１の増幅器の出力信号を上記第１の衛星波放送信号、および上記第２の衛星波放送信号に分配する第２の分配器とを有し、上記第１の分配器は、分配した他方の衛星波デジタル放送信号を上記第１の出力端子に供給し、上記第２の分配器は、上記第１の衛星波放送信号を上記第１の中間配置受信部に供給し、上記第２の衛星波放送信号を上記第２の中間配置受信部に供給することができる。
上記第２の分配部は、上記第２の入力端子から入力した地上波放送信号の不要成分を除去するフィルタと、上記フィルタの出力信号を増幅する第２の増幅器と、上記第２の増幅器の出力信号を上記第１の地上波放送信号、上記第２の地上波放送信号、および出力用地上波放送信号に分配する分配器とを有し、上記分配器は、上記第１の地上波放送信号を上記第１の受信部に供給し、上記第２の地上波放送信号を上記第２の受信部に供給し、上記出力用地上波放送信号を上記第２の出力端子に供給することができる。
上記第２の分配部は、上記第２の入力端子から入力した地上波放送信号の不要成分を除去するフィルタと、上記フィルタの出力信号を２つの地上波放送信号に分配する第３の分配器と、上記第３の分配器で分配された一方の地上波放送信号を増幅する第２の増幅器と、上記第２の増幅器の出力信号を上記第１の地上波放送信号および上記第２の地上波放送信号に分配する第４の分配器とを有し、上記第３の分配器は、分配した他方の地上波放送信号を上記第２の出力端子に供給し、上記第４の分配器は、上記第１の地上波放送信号を上記第１の受信部に供給し、上記第２の地上波放送信号を上記第２の受信部に供給することができる。
入力された放送信号を複数の放送信号に分配する分配部と、それぞれ上記分配部で分配された複数の放送信号を受けて周波数変換を行う前記第１乃至第３の受信部を有するチューナ部と、上記分配部で分配した放送信号を対応する受信部に伝播する複数の信号ラインのうちの少なくとも一つに配置されたアイソレーションアンプ部とをさらに設けることができ、上記アイソレーションアンプ部は、上記分配部で分配した放送信号が制御端子に入力されて、インピーダンス変換により低インピーダンス出力を行うトランジスタにより形成されるバッファアンプを有することができる。
上記アイソレーションアンプ部は、上記バッファアンプの入力側および出力側の少なくとも一方にアッテネータが配置されているようにすることができる。
衛星波デジタル放送信号が入力される第１の入力端子と、アナログまたはデジタルの地上波放送信号が入力される第２の入力端子と、上記第１の入力端子から入力された衛星波デジタル放送信号を出力するための第１の出力端子と、上記第２の入力端子から入力された地上波放送信号を出力するための第２の出力端子とをさらに設けることができ、上記分配部は、上記第１の入力端子から入力された衛星波デジタル放送信号を第１の衛星波放送信号および第２の衛星波放送信号に分配し、かつ、当該入力された衛星波デジタル放送信号を上記第１の出力端子に供給する第１の分配部と、上記第２の入力端子から入力された地上波放送信号を第１の地上波放送信号および第２の地上波放送信号に分配し、かつ、当該入力された地上波放送信号を上記第２の出力端子に供給する第２の分配部とを有し、前記第３の受信部は、第１および第２の中間配置受信部により構成されており、上記チューナ部は、第１の信号ラインを介して、上記第１の分配部により分配された上記第１の衛星波放送信号を受信して第１のベースバンド信号に周波数変換する第１の中間配置受信部と、第２の信号ラインを介して、上記第１の分配部により分配された上記第２の衛星波放送信号を受信して第２のベースバンド信号に周波数変換する第２の中間配置受信部と、第３の信号ラインを介して、上記第２の分配部により分配された上記第１の地上波放送信号を受信して第１の中間周波信号に周波数変換する第１の受信部と、第４の信号ラインを介して、上記第２の分配部により分配された上記第２の地上波放送信号を受信して第２の中間周波信号に周波数変換する第２の受信部とを有し、上記アイソレーションアンプ部は、上記第１の分配部および上記第２の分配部のうち、少なくとも上記第２の分配部に接続された上記第３の信号ラインおよび上記第４の信号ラインのうちの少なくとも一方に配置されているようにすることができる。
上記第２の分配部は、上記第２の入力端子から入力した地上波放送信号の不要成分を除去するフィルタと、上記フィルタの出力信号を２つの地上波放送信号に分配する第１の分配器と、上記第１の分配器で分配された一方の地上波放送信号を増幅する増幅器と、上記増幅器の出力信号を上記第１の地上波放送信号および上記第２の地上波放送信号に分配する第２の分配器とを有し、上記第１の分配器は、分配した他方の地上波放送信号を上記第２の出力端子に供給し、上記第２の分配器は、上記第３の信号ラインを介して上記第１の地上波放送信号を上記第１の受信部に供給し、上記第４の信号ラインを介して上記第２の地上波放送信号を上記第２の受信部に供給することができる。
上記第１の分配部は、上記第１の入力端子から入力した衛星波デジタル放送信号の不要成分を除去するフィルタと、上記フィルタの出力信号を増幅する増幅器と、上記増幅器の出力信号を上記第１の衛星波放送信号、上記第２の衛星波放送信号、および出力用衛星波デジタル放送信号に分配する分配器とを有し、上記分配器は、上記第１の信号ラインを介して上記第１の衛星波放送信号を上記第１の中間配置受信部に供給し、上記第２の信号ラインを介して上記第２の衛星波放送信号を上記第２の中間配置受信部に供給し、上記出力用衛星波デジタル放送信号を上記第１の出力端子に供給することができる。
上記第１の分配部は、上記第１の入力端子から入力した衛星波デジタル放送信号の不要成分を除去するフィルタと、上記フィルタの出力信号を２つの衛星波デジタル放送信号に分配する第３の分配器と、上記第３の分配器で分配された一方の衛星波デジタル放送信号を増幅する増幅器と、上記増幅器の出力信号を上記第１の衛星波放送信号、および上記第２の衛星波放送信号に分配する第４の分配器とを有し、上記第３の分配器は、分配した他方の衛星波デジタル放送信号を上記第１の出力端子に供給し、上記第２の分配器は、上記第１の信号ラインを介して上記第１の衛星波放送信号を上記第１の中間配置受信部に供給し、上記第２の信号ラインを介して上記第２の衛星波放送信号を上記第２の中間配置受信部に供給することができる。
上記チューナ部は、上記第１の中間配置受信部による上記第１のベースバンド信号および上記第１の受信部による上記第１の中間周波信号の復調機能を有する第１の復調部と、上記第２の中間配置受信部による上記第２のベースバンド信号および上記第２の受信部による上記第２の中間周波信号の復調機能を有する第２の復調部とを有し、上記第１の復調部は、デジタル復調およびアナログ復調機能を有し、上記第１のベースバンド信号の映像信号および音声信号を復調し、第１のトランスポートストリームを生成する機能と、上記第１の中間周波信号が地上波デジタル放送信号を周波数変換した信号である場合、当該第１の中間周波信号の映像信号および音声信号を復調し、第２のトランスポートストリームを生成する機能と、上記第１の中間周波信号が地上波アナログ放送信号を周波数変換した信号である場合、当該第１の中間周波信号の映像信号および音声信号を復調し、アナログ映像信号およびアナログ音声信号を生成する機能とを有し、上記第２の復調部は、デジタル復調機能を有し、上記第２のベースバンド信号の映像信号および音声信号を復調し、第３のトランスポートストリームを生成する機能と、上記第２の中間周波信号が地上波デジタル放送信号を周波数変換した信号である場合、当該第２の中間周波信号の映像信号および音声信号を復調し、第４のトランスポートストリームを生成する機能とを有することができる。
上記第１の復調部で生成されるトランスポートストリームを出力するための第３の出力端子と、上記第２の復調部で生成されるトランスポートストリームを出力するための第４の出力端子と、上記第１の復調部で生成されるアナログ映像信号を出力するための第５の出力端子と、上記第１の復調部で生成されるアナログ音声信号を出力するための第６の出力端子とをさらに設けることができ、上記第１の復調部は、生成した上記第１のトランスポートストリームまたは上記第２のトランスポートストリームを上記第３の出力端子に供給し、生成したアナログ映像信号を上記第５の出力端子に供給し、アナログ音声信号を上記第６の出力端子に供給することができる。
上記第１の中間配置受信部、上記第２の中間配置受信部、上記第１の受信部、および上記第２の受信部は、上記第１の分配部および上記第２の分配部の分配出力に対して並列に配置され、上記地上波放送信号の周波数変換を行う上記第１の受信部および上記第２の受信部が並列配置の外側に配置され、上記第１の受信部の配置部と上記第２の受信部の配置部との間に、上記第１の中間配置受信部および上記第２の中間配置受信部が並列に配置されているようにすることができる。
並列配置される上記第１の中間配置受信部、上記第２の中間配置受信部、上記第１の受信部、および上記第２の受信部は、一方の外側配置部から、上記第１の受信部、上記第１の中間配置受信部、上記第２の中間配置受信部、および上記第２の受信部の順に配置されているようにすることができる。
上記第１の復調部および上記第２の復調部は、上記並列配置された上記第１の受信部、上記第１の中間配置受信部、上記第２の中間配置受信部、および上記第２の受信部の出力に対して並列に配置され、上記第１の受信部および上記第１の中間配置受信部は、出力側が上記第１の復調部の入力側に対向するように並列に配置され、上記第２の中間配置受信部および上記第２の受信部は、出力側が上記第２の復調部の入力側に対向するように並列に配置されているようにすることができる。
並列配置される上記第１の中間配置受信部、上記第２の中間配置受信部、上記第１の受信部、および上記第２の受信部は、一方の外側配置部から、上記第１の受信部、上記第２の中間配置受信部、上記第１の中間配置受信部、および上記第２の受信部の順に配置されているようにすることができる。
上記第１の復調部および上記第２の復調部は、上記並列配置された上記第１の受信部、上記第２の中間配置受信部、上記第１の中間配置受信部、および上記第２の受信部の出力に対して並列に配置され、上記第１の受信部および上記第２の中間配置受信部は、出力側が上記第１の復調部の入力側に対向するように並列に配置され、上記第１の中間配置受信部および上記第２の受信部は、出力側が上記第２の復調部の入力側に対向するように並列に配置されているようにすることができる。
本発明によれば、第１の周波数帯域の放送信号を受信する第１および第２の受信部の間に、上記第１の周波数帯域とは異なる第２の周波数帯域の放送信号を受信する第３の受信部が配置される。
【発明の効果】
【００１１】
本発明によれば、構成の複雑化を招くことなく、妨害波の影響を低減することが可能で、１つのフロントエンドモジュールでアナログおよびデジタル放送信号を干渉なく受信することが可能な受信装置を提供する。
【図面の簡単な説明】
【００１２】
【図１】本発明の第１の実施形態に係る放送信号受信装置の構成例を示す図である。
【図２】本実施形態に係る第１および第２の衛星波チューナ、並びに第１および第２の地上波チューナの発振系の構成例を示す図である。
【図３】図２の構成と第１および第２の衛星波チューナの配置位置を入れ替えた構成を示す図である。
【図４】本実施形態に係るデジタルアナログ復調部の構成例を示すブロック図である。
【図５】本実施形態における妨害対策の一例を模式的に示す図である。
【図６】本発明の第２の実施形態に係る放送信号受信装置の構成例を示す図である。
【図７】本発明の第３の実施形態に係る放送信号受信装置の構成例を示す第１図である。
【図８】本発明の第３の実施形態に係る放送信号受信装置の構成例を示す第２図である。
【図９】電力レギュレータの構成例を示す図である。
【図１０】本第３の実施形態において複数の放送を同時に２または１つのチャンネルで受信する場合の電力供給制御の一例について説明するための図である。
【図１１】本第３の実施形態において複数の放送を同時に２または１つのチャンネルで受信する場合の電力供給制御の他例について説明するための図である。
【図１２】本発明の第４の実施形態に係る放送信号受信装置の構成例を示す図である。
【図１３】本第４の実施形態に係る分配器およびアイソレーションアンプ部の第１の構成例を示す図である。
【図１４】本第４の実施形態に係る分配器およびアイソレーションアンプ部の第２の構成例を示す図である。
【図１５】実際にアイソレーション改善回路を挿入した場合のテレビジョンチューナ間のアイソレーション特性を示す図である。
【図１６】本第４の実施形態に係る分配器およびアイソレーションアンプ部の第３の構成例を示す図である。
【図１７】本第４の実施形態に係る分配器およびアイソレーションアンプ部の第４の構成例を示す図である。
【図１８】周波数帯域を説明するための図である。
【発明を実施するための形態】
【００１３】
以下、本発明の実施形態を図面に関連付けて説明する。
なお、説明は以下の順序で行う。
１．第１の実施形態（受信装置の第１の構成例）
２．第２の実施形態（受信装置の第２の構成例）
３．第３の実施形態（受信装置の第３の構成例）
４．第４の実施形態（受信装置の第４の構成例）
【００１４】
＜１．第１の実施形態＞
図１は、本発明の第１の実施形態に係る放送信号受信装置の構成例を示す図である。
【００１５】
本受信装置１０は、１つのフロントエンドモジュールで、デジタル回路とアナログ回路間の干渉なく、地上波アナログテレビジョン放送、地上波デジタルテレビジョン放送および衛星波デジタルテレビジョン放送を受信可能に構成されている。受信装置１０において、これら複数の放送を同時に２つのチャンネルで受信可能とする構成として、信号分配部、周波数変換部および復調部の隔離配置、地上波用の周波数変換部の離間位置等の特徴的な構成が採用されている。また、受信装置１０においては、地上波デジタルテレビジョン放送および衛星波デジタルテレビジョン放送復調信号であるＴＳ（トランスポートストリーム）クロック出力のフィルタリング、デジタル回路部、アナログ回路部のＧＮＤの共通化が行われている。また、受信装置１０においては、ＧＮＤ部を流れるリターン電流に配慮したＧＮＤパターン設計対策が行われている。
【００１６】
以下、受信装置１０の具体的な構成および機能について説明する。なお、以下の説明では、衛星波デジタルテレビジョン放送ＲＦ信号を衛星波デジタル放送信号、アナログおよびデジタルの地上波テレビジョン放送ＲＦ信号を地上波放送信号と呼ぶ。また、例として、本実施形態で適用される周波数帯域は、以下のとおりである。ＶＨＦ帯は３０ＭＨｚ乃至３００ＭＨｚ、ＵＨＦ帯は３００ＭＨｚ乃至３ＧＨｚ、衛星波帯は９５０ＭＨｚ乃至２１５０ＭＨｚである。
【００１７】
受信装置１０は、１つのモジュール基板１１に、次の機能ブロックが隔離して配置されている。モジュール基板１１に、第１の分配部１２、第２の分配部１３、第１の衛星波チューナ１４、第２の衛星波チューナ１５、第１の地上波チューナ１６、第２の地上波チューナ１７、デジタルアナログ復調部１８、およびデジタル復調部１９が隔離して形成されている。第１の衛星波チューナ１４は第１の周波数変換部として機能し、第２の衛星波チューナ１５は第２の周波数変換部として機能する。第１の地上波チューナ１６は第３の周波数変換部として機能し、第２の地上波チューナ１７は第４の周波数変換部として機能する。デジタルアナログ復調部１８は第１の復調部として機能し、デジタル復調部１９は第２の復調部として機能する。
【００１８】
モジュール基板１１は、矩形状に形成されている。モジュール基板１１の第１縁部（側部）１１ａには、第１の入力端子ＴＩ１１、第２の入力端子ＴＩ１２、第１の出力端子ＴＯ１１、および第２の出力端子ＴＯ１２が形成されている。モジュール基板１１において、図１中の左上側の第１縁部１１ａに第１の入力端子ＴＩ１１および第１の出力端子ＴＯ１１が近接して並列に形成されている。そして、第１の入力端子ＴＩ１１および第１の出力端子ＴＯ１１の形成位置に対向するように第１の分配部１２が配置されている。モジュール基板１１において、図１中の左下側の第１縁部１１ａに第２の入力端子ＴＩ１２および第２の出力端子ＴＯ１２が近接して並列に形成されている。そして、第２の入力端子ＴＩ１２および第２の出力端子ＴＯ１２の形成位置に対向するように第２の分配部１３が配置されている。
【００１９】
第１の入力端子ＴＩ１１は、衛星波デジタル放送信号Ｓａｔが入力され、この衛星波デジタル放送信号Ｓａｔを第１の分配部１２に入力させる。第１の出力端子ＴＯ１１は、第１の入力端子ＴＩ１１から第１の分配部１２に入力された衛星波デジタル放送信号Ｓａｔを別のモジュール機器に出力可能に形成されている。第２の入力端子ＴＩ１２は、地上波放送信号Ｔｅｒｒが入力され、この地上波放送信号Ｔｅｒｒを第２の分配部１３に入力させる。第２の出力端子ＴＯ１２は、第２の入力端子ＴＩ１２から第２の分配部１３に入力された地上波放送信号Ｔｅｒｒを別のモジュール機器に出力可能に形成されている。
【００２０】
モジュール基板１１の第１縁部１１ａに対向する第２縁部１１ｂには、第３の出力端子ＴＯ１３および第４の出力端子ＴＯ１４が形成されている。モジュール基板１１の第３縁部１１ｃには、その第２縁部１１ｂに近い位置に、第５の出力端子ＴＯ１５および第６の出力端子ＴＯ１６が形成されている。モジュール基板１１において、図１中の右側の第２縁部１１ｂの中央部より下側に第３の出力端子ＴＯ１３が形成されている。モジュール基板１１において、図１中の右側の第２縁部１１ｂの中央部より上側に第４の出力端子ＴＯ１４が形成されている。モジュール基板１１において、図１中の下側の第３縁部１１ｃの第２縁部１１ｂに近い位置に第５の出力端子ＴＯ１５および第６の出力端子ＴＯ１６が近接して並列に形成されている。モジュール基板１１の図１中の右下側において、第３の出力端子ＴＯ１３、並びに、第５の出力端子ＴＯ１５および第６の出力端子ＴＯ１６の形成位置に近接して第１の復調部としてのデジタルアナログ復調部１８が配置されている。モジュール基板１１の図１中の右上側において、第４の出力端子ＴＯ１４の形成位置に近接して第２の復調部としてのデジタル復調部１９が配置されている。
【００２１】
第３の出力端子ＴＯ１３は、第１の復調部としてのデジタルアナログ復調部１８で生成されるＴＳ（トランスポートストリーム）を出力するために配置されている。第４の出力端子ＴＯ１４は、第２の復調部としてのデジタル復調部１９で生成されるＴＳを出力するために配置されている。第５の出力端子ＴＯ１５は、デジタルアナログ復調部１８で生成されるアナログ映像信号ＡＳＶを出力するために配置されている。第６の出力端子ＴＯ１６は、デジタルアナログ復調部１８で生成されるアナログ音声信号ＡＳＡを出力するために配置されている。
【００２２】
第１の分配部１２は、第１の入力端子ＴＩ１１から入力された衛星波デジタル放送信号Ｓａｔを第１の衛星波放送信号Ｓａｔ１および第２の衛星波放送信号Ｓａｔ２に分配し、入力された衛星波デジタル放送信号Ｓａｔを第１の出力端子ＴＯ１１に供給する。第１の分配部１２は、分配した第１の衛星波放送信号Ｓａｔ１を第１の信号ラインＳＬ１１を介して第１の周波数変換部として第１の衛星波チューナ１４に供給する。第１の分配部１２は、分配した第２の衛星波放送信号Ｓａｔ２を第２の信号ラインＳＬ１２を介して第２の周波数変換部としての第２の衛星波チューナ１５に供給する。
【００２３】
第１の分配部１２は、図１に示すように、ハイパスフィルタ（ＨＰＦ）１２１、低雑音増幅器（ＬＮＡ）１２２、および分配器１２３を有する。
【００２４】
ＨＰＦ１２１は、第１の入力端子ＴＩ１１から入力した衛星波デジタル放送信号Ｓａｔの不要成分を除去してＬＮＡ１２２に出力する。すなわち、例えば、ＨＰＦ１２１は、第１の入力端子ＴＩ１１から入力した衛星波デジタル放送信号Ｓａｔの周波数成分のうち、所定の周波数未満の低域周波数成分を不要成分として除去し、所定の周波数以上の高域周波数成分をＬＮＡ１２２に出力する。ＬＮＡ１２２は、ＨＰＦ１２１で不要成分が除去された衛星波デジタル放送信号Ｓａｔを増幅して分配器１２３に出力する。分配器１２３は、ＬＮＡ１２２から出力された衛星波デジタル放送信号Ｓａｔを、第１の衛星波放送信号Ｓａｔ１、第２の衛星波放送信号Ｓａｔ２、および出力用衛星波デジタル放送信号ＳａｔＯに分配する。分配器１２３は、分配した第１の衛星波放送信号Ｓａｔ１を第１の信号ラインＳＬ１１を介して第１の周波数変換部として第１の衛星波チューナ１４に供給する。分配器１２３は、分配した第２の衛星波放送信号Ｓａｔ２を第２の信号ラインＳＬ１２を介して第２の周波数変換部としての第２の衛星波チューナ１５に供給する。分配器１２３は、分配した出力用衛星波デジタル放送信号ＳａｔＯを第１の出力端子ＴＯ１１に供給する。
【００２５】
第２の分配部１３は、第２の入力端子ＴＩ１２から入力された地上波放送信号Ｔｅｒｒを第１の地上波放送信号Ｔｅｒｒ１および第２の地上波放送信号Ｔｅｒｒ２に分配し、入力された地上波放送信号Ｔｅｒｒを第２の出力端子ＴＯ１２に供給する。第２の分配部１３は、分配した第１の地上波放送信号Ｔｅｒｒ１を第３の信号ラインＳＬ１３を介して第３の周波数変換部として第１の地上波チューナ１６に供給する。第２の分配部１３は、分配した第２の地上波放送信号Ｔｅｒｒ２を第４の信号ラインＳＬ１４を介して第４の周波数変換部としての第２の地上波チューナ１７に供給する。
【００２６】
第２の分配部１３は、図１に示すように、ローパスフィルタ（ＬＰＦ）１３１、ＬＮＡ１３２、および分配器１３３，１３４を有する。分配器１３３は第４の分配器に相当し、分配器１３４は第３の分配器に相当する。
【００２７】
ＬＰＦ１３１は、第２の入力端子ＴＯ１２から入力した地上波放送信号Ｔｅｒｒの不要成分を除去して分配器１３４に出力する。すなわち、例えば、ＬＰＦ１３１は、第２の入力端子ＴＯ１２から入力した地上波放送信号Ｔｅｒｒの周波数成分のうち、所定の周波数以上の高域周波数成分を不要成分として除去し、所定の周波数未満の低域周波数成分を分配器１３４に出力する。分配器１３４は、ＬＰＦ１３１から出力された地上波放送信号Ｔｅｒｒを２つに分配し、分配した一方の地上波放送信号をＬＮＡ１３２に出力し、分配した他方の地上波放送信号を出力用の地上波放送信号ＴｅｒｒＯとして第２の出力端子ＴＯ１２に供給する。ＬＮＡ１３２は、分配器１３４による一方の地上波放送信号を増幅して分配器１３３に出力する。分配器１３３は、ＬＮＡ１３２から出力された地上波放送信号Ｔｅｒｒを、第１の地上波放送信号Ｔｅｒｒ１と第２の地上波放送信号Ｔｅｒｒ２に分配する。分配器１３３は、分配した第１の地上波放送信号Ｔｅｒｒ１を第３の信号ラインＳＬ１３を介して第３の周波数変換部として第１の地上波チューナ１６に供給する。分配器１３３は、分配した第２の地上波放送信号Ｔｅｒｒ２を第４の信号ラインＳＬ１４を介して第４の周波数変換部としての第２の地上波チューナ１７に供給する。
【００２８】
第１の衛星波チューナ１４は、第１の分配部１２により分配された第１の衛星波放送信号Ｓａｔ１が供給され、この第１の衛星波放送信号Ｓａｔ１を第１のベースバンド信号に周波数変換する第１の周波数変換部としての機能を有する。第１の衛星波チューナ１４は、周波数変換して得られた第１のベースバンド信号を信号Ｓ１４として第１の復調部としてのデジタルアナログ復調部１８に出力する。
【００２９】
第２の衛星波チューナ１５は、第１の分配部１２により分配された第２の衛星波放送信号Ｓａｔ２が供給され、この第２の衛星波放送信号Ｓａｔ２を第２のベースバンド信号に周波数変換する第２の周波数変換部としての機能を有する。第２の衛星波チューナ１５は、周波数変換して得られた第２のベースバンド信号を信号Ｓ１５として第２の復調部としてのデジタル復調部１９に出力する。
【００３０】
第１の地上波チューナ１６は、第２の分配部１３により分配された第１の地上波放送信号Ｔｅｒｒ１が供給され、この第１の地上波放送信号Ｔｅｒｒ１を第１の中間周波信号に周波数変換する第３の周波数変換部として機能を有する。第１の地上波チューナ１６は、第１の中間周波信号を信号Ｓ１６としてデジタルアナログ復調部１８に出力する。第２の地上波チューナ１７は、第２の分配部１３により分配された第２の地上波放送信号Ｔｅｒｒ２が供給され、この第２の地上波放送信号Ｔｅｒｒ２を第２の中間周波信号に周波数変換する第４の周波数変換部として機能を有する。第２の地上波チューナ１７は、第２の中間周波信号を信号Ｓ１７としてデジタル復調部１９に出力する。
【００３１】
図２は、本実施形態に係る第１および第２の衛星波チューナ、並びに第１および第２の地上波チューナの発振系の構成例を示す図である。なお、図２においては、発振系のみ示し、発振系によるクロック信号を受けて入力放送信号のミキシングを行うミキサ等については省略してある。
【００３２】
第１の衛星波チューナ１４は、たとえば周波数２１５０ＭＨｚ乃至４３００ＭＨｚの局部発振信号を発振する電圧制御発振器（ＶＣＯ）からなる局部発振器１４１、バッファ１４２、分周器１４３を有する。第１の衛星波チューナ１４は、たとえば周波数１６ＭＨｚの基準クロックを発振するクリスタル発振器１４４、バッファ１４５、およびＰＬＬ回路１４６を有する。ＰＬＬ回路１４６は、分周器１４３で分周された局部発振信号を基準クロック信号と位相同期させたクロック信号を図示しないミキサに供給する。
【００３３】
第２の衛星波チューナ１５は、たとえば周波数２１５０ＭＨｚ乃至４３００ＭＨｚの局部発振信号を発振する電圧制御発振器（ＶＣＯ）からなる局部発振器１５１、バッファ１５２、分周器１５３を有する。第２の衛星波チューナ１５は、たとえば周波数１６ＭＨｚの基準クロックを発振するクリスタル発振器１５４、バッファ１５５、およびＰＬＬ回路１５６を有する。ＰＬＬ回路１５６は、分周器１５３で分周された局部発振信号を基準クロック信号と位相同期させたクロック信号を図示しないミキサに供給する。
【００３４】
第１の地上波チューナ１６は、たとえば周波数１８００ＭＨｚ乃至３６００ＭＨｚの局部発振信号を発振する電圧制御発振器（ＶＣＯ）からなる局部発振器１６１、バッファ１６２、分周器１６３を有する。第１の地上波チューナ１６は、たとえば周波数４ＭＨｚの基準クロックを発振するクリスタル発振器１６４、バッファ１６５、およびＰＬＬ回路１６６を有する。ＰＬＬ回路１６６は、分周器１６３で分周された局部発振信号を基準クロック信号と位相同期させたクロック信号を図示しないミキサに供給する。
【００３５】
第２の地上波チューナ１７は、たとえば周波数１８００ＭＨｚ乃至３６００ＭＨｚの局部発振信号を発振する電圧制御発振器（ＶＣＯ）からなる局部発振器１７１、バッファ１７２、分周器１７３を有する。第２の地上波チューナ１７は、たとえば周波数４ＭＨｚの基準クロックを発振するクリスタル発振器１７４、バッファ１７５、およびＰＬＬ回路１７６を有する。ＰＬＬ回路１７６は、分周器１７３で分周された局部発振信号を基準クロック信号と位相同期させたクロック信号を図示しないミキサに供給する。
【００３６】
これら第１の衛星波チューナ１４、第２の衛星波チューナ１５、第１の地上波チューナ１６、および第２の地上波チューナ１７は、第１の分配部１２および第２の分配部１３の分配出力に対して並列に配置されている。そして、本実施形態においては、ノイズ等の妨害対策の一つとして、並列配置された４つのチューナ１４乃至１７のうち、第１の地上波チューナ１６および第２の地上波チューナ１７がモジュール基板１１の縁部側（外側）に離間して配置されている。すなわち、地上波チューナは一番妨害に対して影響を受けやすいアナログ放送を有するため、地上波チューナ同士のそれぞれをモジュール基板１１の縁部（端部）に配置することにより、局部発振妨害に対しての対策を施してある。ノイズ等の妨害については後で詳述する。
【００３７】
図１および図２の構成では、地上波放送信号の周波数変換を行う第３の周波数変換部としての第１の地上波チューナ１６および第４の周波数変換部としての第２の地上波チューナ１７が並列配置の外側に配置されている。具体的には、モジュール基板１１の略中央部において、第１の地上波チューナ１６が第３縁部１１ｃ側に配置され、第２の地上波チューナ１７が第４縁部１１ｄ側に配置されている。そして、第１の地上波チューナ１６の配置部と第２の地上波チューナ１７の配置部との間に、第１の周波数変換部としての第１の衛星波チューナ１４および第２の周波数変換部としての第２の衛星波チューナが並列に配置されている。この場合、一方の外側配置部である第３縁部１１ｃ側から、第１の地上波チューナ１６、第１の衛星波チューナ１４、第２の衛星波チューナ１５、および第２の地上波チューナ１７が順に配置されている。並列配置された第１の地上波チューナ１６、第１の衛星波チューナ１４、第２の衛星波チューナ１５、および第２の地上波チューナ１７の出力に対して、デジタルアナログ復調部１８およびデジタル復調部１９が並列に配置されている。そして、第１の地上波チューナ１６および第１の衛星波チューナ１４は、出力側が第１の復調部としてのデジタルアナログ復調部１８の入力側に対向するように並列に配置されている。第２の衛星波チューナ１５および第２の地上波チューナ１７は、出力側が第２の復調部としてのデジタル復調部１９の入力側に対向するように並列に配置されている。
【００３８】
なお、第１の衛星波チューナ１４および第２の衛星波チューナ１５は、図３に示すように、配置位置を入れ替えて配置することも可能である。この場合、一方の外側配置部である第３縁部１１ｃ側から、第１の地上波チューナ１６、第２の衛星波チューナ１５、第１の衛星波チューナ１４、および第２の地上波チューナ１７が順に配置されている。並列配置された第１の地上波チューナ１６、第２の衛星波チューナ１５、第１の衛星波チューナ１４、および第２の地上波チューナ１７の出力に対して、デジタルアナログ復調部１８およびデジタル復調部１９が並列に配置されている。そして、第１の地上波チューナ１６および第２の衛星波チューナ１５は、出力側が第１の復調部としてのデジタルアナログ復調部１８の入力側に対向するように並列に配置されている。第１の衛星波チューナ１４および第２の地上波チューナ１７は、出力側が第２の復調部としてのデジタル復調部１９の入力側に対向するように並列に配置されている。
【００３９】
デジタルアナログ復調部１８は、第１の周波数変換部としての第１の衛星波チューナ１４による第１のベースバンド信号および第３の周波数変換部としての第１の地上波チューナ１６による第１の中間周波信号の復調機能を有する第１の復調部として機能する。デジタルアナログ復調部１８は、図２および図３に示すように、マスターロックを生成するクリスタル発振器１８１、アナログデジタル変換器（ＡＤＣ）１８２を含んで構成される。
【００４０】
デジタルアナログ復調部１８は、デジタル復調およびアナログ復調機能を含んで構成され、以下の機能を有する。デジタルアナログ復調部１８は、第１の衛星波チューナ１４による第１のベースバンド信号の映像信号および音声信号を復調し、第１のトランスポートストリームを生成する。デジタルアナログ復調部１８は、第１の地上波チューナ１６による第１の中間周波信号が地上波デジタル放送信号を周波数変換した信号である場合、この第１の中間周波信号の映像信号および音声信号を復調し、第２のトランスポートストリームを生成する。デジタルアナログ復調部１８は、第１の中間周波信号が地上波アナログ放送信号を周波数変換した信号である場合、この第１の中間周波信号の映像信号および音声信号を復調し、アナログ映像信号ＡＳＶおよびアナログ音声信号ＡＳＡを生成する。デジタルアナログ復調部１８は、生成した第１のトランスポートストリームまたは第２のトランスポートストリームを第３の出力端子ＴＯ１３に供給する。デジタルアナログ復調部１８は、生成したアナログ映像信号を第５の出力端子ＴＯ１５に供給し、アナログ音声信号を第６の出力端子ＴＯ１６に供給する。
【００４１】
図４は、本実施形態に係るデジタルアナログ復調部の構成例を示すブロック図である。
【００４２】
デジタルアナログ復調部１８は、衛星波復調部１８３、地上波デジタル復調部１８４、および地上波アナログ復調部１８５を有する。衛星波復調部１８３はＩＳＤＢ−Ｓ(Integrated Services Digital Broadcasting‐Satellite)方式に対応し、地上波デジタル復調部１８４はＩＳＤＢ−Ｔ(Terrestrial)方式に対応し、地上波アナログ復調部１８５はＮＴＳＣ方式に対応している。ＴＳ出力制御部１８３５は、ＴＳの出力を行い、また、エラー情報に出力を行う。
【００４３】
衛星波復調部１８３は、ＡＤＣ１８３１−１，１８３１−２、８ＰＳＫ復調器１８３２、ビタビ復号器１８３３、リードソロモン（ＲＳ）復号器１８３４、およびＴＳ出力制御部１８３５を有する。衛星波復調部１８３は、緊急警報放送に対応したＴＭＣＣ(Transmission and Multiplexing Configuration and Control)部１８３６、ステータスモニタ１８３７、およびＡＧＣ(Auto Gain Control)部１８３８を有する。ステータスモニタ１８３７は、緊急警報信号（ＥＷＳ：Emergency Warning Signal）の出力や復調が正常に終了したことを示す復調ＯＫフラグの出力等を行う。
【００４４】
地上波デジタル復調部１８４は、ＯＦＤＭ復調器１８４１、ビタビ復号器１８４２、ＲＳ復号器１８４３、ＴＳ出力制御部１８４４、緊急警報放送に対応したＴＭＣＣ部１８４５、ステータスモニタ１８４６、およびＡＧＣ部１８４７を有する。ステータスモニタ１８４６は、ＥＷＳの出力や復調が正常に終了したことを示す復調ＯＫフラグの出力等を行う。
【００４５】
地上波アナログ復調部１８５は、ビデオ中間周波信号処理部（ＶＩＦ）１８５１、デジタルアナログ変換器（ＤＡＣ）１８５２、サウンド中間周波信号処理部（ＳＩＦ）１８５３、音声多重復調器１８５４、およびＡＧＣ部１８５５を有する。ＤＡＣ１８５２はアナログ映像信号を出力し、音声多重復調器１８５４はアナログ音声信号を出力する。
【００４６】
デジタル復調部１９は、第２の周波数変換部としての第２の衛星波チューナ１５による第２のベースバンド信号および第４の周波数変換部としての第２の地上波チューナ１７による第２の中間周波信号の復調機能を有する第２の復調部として機能する。デジタル復調部１９は、図２および図３に示すように、マスターロックを生成するクリスタル発振器１９１、アナログデジタル変換器（ＡＤＣ）１９２を含んで構成される。
【００４７】
デジタル復調部１９は、デジタル復調機能を含んで構成され、以下の機能を有する。デジタル復調部１９は、第２の衛星波チューナ１５による第２のベースバンド信号の映像信号および音声信号を復調し、第３のトランスポートストリームを生成する。デジタル復調部１９は、第２の地上波チューナ１７による第２の中間周波信号が地上波デジタル放送信号を周波数変換した信号である場合、この第２の中間周波信号の映像信号および音声信号を復調し、第４のトランスポートストリームを生成する。
【００４８】
デジタル復調部１９は、生成した第３のトランスポートストリームまたは第４のトランスポートストリームを第４の出力端子ＴＯ１４に供給する。
【００４９】
デジタル復調部１９は、図４に示す衛星波復調部１８３および地上波デジタル復調部１８４と同様の構成を有する。
【００５０】
以上の構成を有する受信装置は、１つのフロントエンドモジュールで、デジタル回路とアナログ回路間の干渉なく、地上波アナログテレビジョン放送、地上波デジタルテレビジョン放送および衛星波デジタルテレビジョン放送を受信可能である。受信装置１０において、これら複数の放送を同時に２つのチャンネルで受信可能である。受信装置１０は、地上波アナログテレビジョン放送と地上波デジタルテレビジョン放送、地上波アナログテレビジョン放送と衛星波デジタルテレビジョン放送、地上波デジタルテレビジョン放送と地上波デジタルテレビジョン放送の組み合わせを受信可能である。受信装置１０は、地上波デジタルテレビジョン放送と衛星波デジタルテレビジョン放送、衛星波デジタルテレビジョン放送と衛星波デジタルテレビジョン放送の組み合わせを受信可能である。
【００５１】
次に、干渉妨害について述べる。フロントエンドモジュールを干渉妨害なく円滑に動作させる上で、以下に示すような発生するおそれのある課題に対して対策を施す必要がある。
（１）デジタル復調部１９から出力される衛星波デジタルＴＳの高調波が地上波ＲＦ帯域内に飛びこみ、第１の地上波チューナ１６から出力される中間周波信号帯域内に妨害信号として重畳されてしまう（妨害１）。
（２）デジタル復調部１９から出力される地上デジタルＴＳの高調波が地上波ＲＦ帯域内に飛びこみ、第１の地上波チューナ１６から出力される中間周波信号帯域内に妨害信号として重畳されてしまう（妨害２）。
（３）第１の地上波チューナ１６の局発発振成分が衛星波ＲＦ帯域内に飛び込み、第２の衛星波チューナ１５から出力されるベースバンド信号にノイズが重畳されてしまう（妨害３）。
（４）第２の地上波チューナ１７の局発発振成分が衛星波ＲＦ帯域内に飛び込み、第１の衛星波チューナ１４から出力されるベースバンド信号にノイズが重畳されてしまう（妨害４）。
（５）第１および第２の衛星波チューナ１４、１５の周波数変換に用いる水晶発振信号高調波成分が地上波ＲＦ帯域内に飛びこみ、第１および第２の地上波チューナ１６、１７から出力される中間周波信号帯域内に妨害信号として重畳されてしまう（妨害５）。
（６）デジタルアナログ復調部１８のマスタークロックの高調波が地上波ＲＦ帯域内に飛びこみ、第１の地上波チューナ１６から出力される中間周波信号帯域内に妨害信号として重畳されてしまう（妨害６）。
（７）第２の地上波チューナ１７の局発発振成分が地上波ＲＦ帯域内に飛びこみ、第１の地上波チューナ１６から出力される中間周波信号帯域内に妨害信号として重畳されてしまう（妨害７）。
（８）第１の地上波チューナ１６の局発発振成分が地上波ＲＦ帯域内に飛びこみ、第２の地上波チューナ１７から出力される中間周波信号帯域内に妨害信号として重畳されてしまう（妨害８）。
（９）第１の衛星波チューナ１４の局発発振成分が衛星波ＲＦ帯域内に飛び込み、第２の衛星波チューナ１５から出力されるベースバンド信号にノイズが重畳されてしまう（妨害９）。
（１０）第２の衛星波チューナ１５の局発発振成分が衛星波ＲＦ帯域内に飛び込み、第１の衛星波チューナ１４から出力されるベースバンド信号にノイズが重畳されてしまう（妨害１０）。
【００５２】
そこで本実施形態では、上記の妨害１乃至１０に対して以下に示すような妨害対策を施してある。図５は、本実施形態における妨害対策の一例を模式的に示す図である。本実施形態においては、図５に示すように、分配部（スプリッタ部）、地上波チューナ部、衛星波チューナ部、復調部にそれぞれ壁を作り各々を隔離している。さらに、本実施形態においては、地上波チューナは一番妨害に対して影響を受けやすいアナログ放送を有するため、地上波チューナ同士それぞれをモジュール基板１１の縁部（端部）に配置することにより、局発妨害に対しての対策を施してある。また、モジュール基板１１のグランドＧＮＤとシールドケースの接合部分がリターン電流に配慮した位置に配置されている。また、ＧＮＤパターンもリターン電流に配慮した設計をすることにより、上記の輻射妨害を抑えて、１個のフロントエンドモジュールで分配部（スプリッタ）の役割を果たしている。さらには、地上波アナログテレビジョン放送と地上波デジタルテレビジョン放送、地上波アナログテレビジョン放送と衛星波デジタルテレビジョン放送、地上波デジタルテレビジョン放送と地上波デジタルテレビジョン放送の組み合わせの受信が可能である。さらに、地上波デジタルテレビジョン放送と衛星波デジタルテレビジョン放送、衛星波デジタルテレビジョン放送と衛星波デジタルテレビジョン放送のそれぞれの組み合わせの受信が可能である。
【００５３】
次に、動作について説明する。衛星波デジタル放送信号Ｓａｔは衛星波信号入力用の第１の入力端子ＴＩ１１に入力され、第１の分配部１２に供給される。第１の分配部１２においては、ＨＰＦ１２１で不要成分を除去され、ＬＮＡ１２２で増幅され、分配器１２３で第１の衛星波放送信号Ｓａｔ１、第２の衛星波放送信号Ｓａｔ２、および出力用衛星波デジタル放送信号ＳａｔＯに分配される。分配された第１の衛星波放送信号Ｓａｔ１は第１の信号ラインＳＬ１１を介して第１の周波数変換部として第１の衛星波チューナ１４に供給される。分配された第２の衛星波放送信号Ｓａｔ２は第２の信号ラインＳＬ１２を介して第２の周波数変換部としての第２の衛星波チューナ１５に供給される。分配された出力用衛星波デジタル放送信号ＳａｔＯは第１の出力端子ＴＯ１１に供給される。第１の衛星波チューナ１４では第１の衛星波放送信号Ｓａｔ１が第１のベースバンド信号に周波数変換され、第２の衛星波チューナ１５では第２の衛星波放送信号Ｓａｔ２が第２のベースバンド信号に周波数変換される。ベースバンドの映像信号および音声信号がデジタルアナログ復調部１８およびデジタル復調部１９に入力される。デジタルアナログ復調部１８およびデジタル復調部１９では、入力映像信号および音声信号を復調され、たとえばＭＰＥＧ−２形式の衛星波デジタルＴＳの復調信号にして第３の出力端子ＴＯ１３、第４の出力端子ＴＯ１４から出力される。
【００５４】
一方、地上波放送信号Ｔｅｒｒは、地上波信号入力用の第２の入力端子ＴＩ１２に入力され、第２の分配部１３に供給される。第２の分配部１３においては、ＬＰＦ１３１で不要成分を除去され、分配器１３４でＬＰＦ１３１から出力された地上波放送信号Ｔｅｒｒを２つに分配される。分配された一方の地上波放送信号はＬＮＡ１３２に出力され、分配された他方の地上波放送信号は出力用の地上波放送信号ＴｅｒｒＯとして第２の出力端子ＴＯ１２に供給される。ＬＮＡ１３２では、分配器１３４による一方の地上波放送信号が増幅されて分配器１３３に出力される。分配器１３３では、ＬＮＡ１３２から出力された地上波放送信号Ｔｅｒｒが、第１の地上波放送信号Ｔｅｒｒ１と第２の地上波放送信号Ｔｅｒｒ２に分配される。分配された第１の地上波放送信号Ｔｅｒｒ１は第３の信号ラインＳＬ１３を介して第３の周波数変換部として第１の地上波チューナ１６に供給される。
分配された第２の地上波放送信号Ｔｅｒｒ２は第４の信号ラインＳＬ１４を介して第４の周波数変換部としての第２の地上波チューナ１７に供給される。第１の地上波チューナ１６では第１の地上波放送信号Ｔｅｒｒ１が第１の中間周波信号に周波数変換され、第２の地上波チューナ１７では第２の地上波放送信号Ｔｅｒｒ２が第２の中間周波信号に周波数変換される。第１の中間周波信号はデジタルアナログ復調部１８に入力され、第２の中間周波信号はデジタル復調部１９に入力される。地上波アナログ信号はデジタルアナログ復調部１８でアナログの映像信号と音声信号に復調され、映像用の第５の出力端子ＴＯ１５と音声用の第６の出力端子ＴＯ１６にそれぞれ出力される。また、地上波デジタル信号は、デジタルアナログ復調部１８、デジタル復調部１９で復調され、ＢＳＣＳデジタル信号と同様にＭＰＥＧ−２形式の地上波デジタルＴＳにされ、第３の出力端子ＴＩ１３、第４の出力端子ＴＯ１４から出力される。
【００５５】
本第１の実施形態によれば、１つのフロントエンドモジュールで地上波アナログテレビジョン放送、地上波デジタルテレビジョン放送および衛星波デジタルテレビジョン放送を受信する構成を有する。本第１の実施形態においては、これら複数の放送を同時に２つのチャンネルで受信可能とする構成として、信号分配部、周波数変換部および復調部の隔離配置、地上波用の周波数変換部の離間位置等の特徴的な構成が採用されている。また、本第１の実施形態においては、地上波デジタルテレビジョン放送および衛星波デジタルテレビジョン放送復調信号であるＴＳクロック出力のフィルタリング、デジタル回路部、アナログ回路部のＧＮＤの共通化が行われている。また、受信装置１０においては、ＧＮＤ部を流れるリターン電流に配慮したＧＮＤパターン設計対策が行われている。その結果、輻射妨害なく全放送の受信を可能にすることができる。
【００５６】
また、このフロントエンドモジュールを用いると、地上波アナログテレビジョン放送と地上波デジタルテレビジョン放送、地上波アナログテレビジョン放送と衛星波デジタルテレビジョン放送の組み合わせで同時に視聴や録画を可能にすることができる。地上波デジタルテレビジョン放送と地上波テレビジョン放送、地上波デジタルテレビジョン放送と衛星波デジタルテレビジョン放送、衛星波デジタルテレビジョン放送と衛星波デジタルテレビジョン放送の組み合わせで同時に視聴や録画を可能にすることができる。さらには、地上波放送信号Ｔｅｒｒと、衛星波デジタル放送信号Ｓａｔを別のモジュールに出力することが可能にすることができる。また、この受信装置（フロントエンドモジュール）を用いると、テレビジョン受像機において省スペース化を実現でき、さらにシステム設計を容易にできるようになる。それ故通常方式と比較して実装面積が削減でき、しかも使用時の配置等の問題による干渉の問題を既に解決した状態でシールドがされて使用できるため、実装される基板側での干渉等を含めた設計検討を容易にすることができる。
【００５７】
＜２．第２の実施形態＞
図６は、本発明の第２の実施形態に係る放送信号受信装置の構成例を示す図である。
【００５８】
本第２の実施形態に係る受信装置１０Ａが上述した第１の実施形態に係る受信装置１０と異なる点は、第１の分配部１２Ａおよび第２の分配部１３Ａの構成にある。受信装置１０Ａにおいて、第１の分配部１２ＡではＨＰＦ１２１の出力段に分配器（第１の分配器）１２４を設け、第２の分配部１３Ａでは分配器１３４を省略している。
【００５９】
第１の分配部１２Ａは、第１の分配器としての分配器１２４がＨＰＦ１２１出力信号を２つの衛星波デジタル放送信号に分配し、分配した他方の衛星波デジタル放送信号ＳａｔＯを第１の出力端子ＴＯ１１に供給する。第２の分配器としての分配器１２３Ａは、ＬＮＡ１２２の出力信号を第１の衛星波放送信号Ｓａｔ１および第２の衛星波放送信号Ｓａｔ２に分配する。分配器１２３Ａは、分配した第１の衛星波放送信号Ｓａｔ１を第１の信号ラインＳＬ１１を介して第１の周波数変換部として第１の衛星波チューナ１４に供給する。分配器１２３Ａは、分配した第２の衛星波放送信号Ｓａｔ２を第２の信号ラインＳＬ１２を介して第２の周波数変換部としての第２の衛星波チューナ１５に供給する。
【００６０】
第２の分配部１３Ａにおいて、分配器１３３ＡがＬＮＡ１３２の出力信号を第１の地上波放送信号Ｔｅｒｒ１、第２の地上波放送信号Ｔｅｒｒ２、および出力用地上波放送信号ＴｅｒｒＯに分配する。分配器１３３Ａは、分配した第１の地上波放送信号Ｔｅｒｒ１を第３の信号ラインＳＬ１３を介して第３の周波数変換部として第１の地上波チューナ１６に供給される。分配器１３３Ａは、分配した第２の地上波放送信号Ｔｅｒｒ２を第４の信号ラインＳＬ１４を介して第４の周波数変換部としての第２の地上波チューナ１７に供給する。分配器１３３Ａは、分配した出力用地上波放送信号ＴｅｒｒＯを第２の出力端子ＴＯ１２に供給する。
【００６１】
その他の構成は第１の実施形態と同様である。本第２の実施形態によれば、上述した第１の実施形態の効果と同様の効果を得ることができる。なお、第１および第２の実施形態の構成に限らず、第１の分配部１２，１２Ａ、第２の分配部１３，１３Ａを適宜組み合わせて用いることが可能である。
【００６２】
＜３．第３の実施形態＞
図７および図８は、本発明の第３の実施形態に係る放送信号受信装置の構成例を示す図である。
【００６３】
本第３の実施形態の受信装置１０Ｂは、図７および図８に示すように、チューナモジュール部２０と電力供給部３０のグランドＧＮＤを共通化し、チューナモジュール部２０と電力供給部が隔離して配置され、さらにスプリアスに配慮した電源配線が行われている。この構成により１枚の基板１１Ｂ上にて、地上波アナログテレビジョン放送、地上波デジタルテレビジョン放送及び衛星波デジタルテレビジョン放送を受信する目的と、これらを受信するチューナモジュールに安定した電力源を供給する目的を同時に可能としている。
【００６４】
なお、チューナモジュール部２０は、第１の実施形態の受信装置１０または第２の実施形態の受信装置１０Ａを含むモジュールとして形成されている。
【００６５】
電力供給部３０は、受信放送信号に応じて、駆動電力を選択的に供給可能な電力レギュレータ３１乃至３６を有する。電力レギュレータ３１は、たとえば第１の分配部１２のＬＮＡ１２２に駆動電力を選択的に供給する。電力レギュレータ３２は、たとえば第２の分配部１３のＬＮＡ１３２に駆動電力を選択的に供給する。電力レギュレータ３３は、第１の地上波チューナ１６に駆動電力を選択的に供給する。電力レギュレータ３４は、第１の衛星波チューナ１４に駆動電力を選択的に供給する。電力レギュレータ３５は、第２の衛星波チューナ１５に駆動電力を選択的に供給する。電力レギュレータ３６は、第２の地上波チューナ１７に駆動電力を選択的に供給する。
【００６６】
チューナモジュール部２０を安定に動作させるために、電力供給部３０において、電力レギュレータ３１乃至３６には外部電源から電力を印加し、それぞれモジュール仕様の電圧に変換した後安定的な電力をチューナモジュール部２０に供給する。そのために、モジュール基板１１Ｂには、電力を入力するための電源端子ＴＰ１１乃至ＴＰ１４が形成されている。
【００６７】
図９は、電力レギュレータ３１（３２乃至３６）の構成例を示す図である。
【００６８】
電力レギュレータ３１は、端子Ｖｉｎに外部から電圧が供給され、端子Ｃｏｎｔにスイッチ信号ＳＷが供給される。電力レギュレータ３１は、スイッチ信号ＳＷによってオン、オフされ、これにより駆動電力を供給対象に選択的に供給することができる。
【００６９】
ところで、上記の電源一体型受信装置（フロントエンドモジュール）を干渉妨害なく円滑に動作させる上で、以下の点で問題になるおそれがある。すなわち、チューナモジュール側から発生するスプリアス（不要波）に対して、電力供給部を介して再びチューナに飛び込んでしまい、妨害信号となる問題や、電力供給部からのスプリアスがチューナに飛び込んでしまい、問題になることがある。
【００７０】
そこで、本第３の実施形態では、上記の妨害に対して以下に示すような対策を施してある。図８に示すように、チューナモジュール部２０にシールド２１を形成し、電力供給部３０との隔離を行っている。
また、電源配線をスプリアスに考慮して行い、また基板のグランドＧＮＤとシールドケースの接合部分をリターン電流に配慮した位置に設置し、またＧＮＤパターンもリターン電流に配慮した設計が行われている。これにより、上記の輻射妨害を抑えて、安定した電源をチューナモジュールに供給しながら、地上波アナログテレビジョン放送、地上波デジタルテレビジョン放送と衛星波デジタルテレビジョン放送の受信を可能にしている。
【００７１】
ここで、複数の放送を同時に２または１つのチャンネルで受信する場合の電力供給制御の一例について説明する。図１０は、本第３の実施形態において複数の放送を同時に２または１つのチャンネルで受信する場合の電力供給制御の一例について説明するための図である。
【００７２】
［地上波アナログと地上波デジタルの放送信号を同時受信］
地上波アナログと地上波デジタルの放送信号を同時受信は、電力レギュレータ３２により第２の分配部１３のＬＮＡ１３２に駆動電力が供給される。電力レギュレータ３３により第１の地上波チューナ１６に駆動電力が供給される。電力レギュレータ３６により第２の地上波チューナ１７に駆動電力が供給される。電力レギュレータ３１による第１の分配部１２のＬＮＡ１２２への駆動電力の供給が停止される。電力レギュレータ３４による第１の衛星波チューナ１４への駆動電力の供給が停止される。電力レギュレータ３５による第２の衛星波チューナ１５への駆動電力の供給が停止される。
【００７３】
［地上波デジタルと衛星波デジタルの放送信号を同時受信］
地上波デジタルと衛星波デジタルの放送信号を同時受信は、電力レギュレータ３１により第１の分配部１２のＬＮＡ１２２に駆動電力が供給される。電力レギュレータ３２により第２の分配部１３のＬＮＡ１３２に駆動電力が供給される。電力レギュレータ３３による第１の地上波チューナ１６に駆動電力が供給される。電力レギュレータ３５による第２の衛星波チューナ１５への駆動電力の供給が停止される。電力レギュレータ３４による第１の衛星波チューナ１４への駆動電力の供給が停止される。電力レギュレータ３６による第２の地上波チューナ１７への駆動電力の供給が停止される。
【００７４】
［地上波アナログの放送信号を単独受信］
地上波アナログの放送信号を単独受信は、電力レギュレータ３１により第１の分配部１２のＬＮＡ１２２に駆動電力が供給される。電力レギュレータ３３により第１の地上波チューナ１６に駆動電力が供給される。電力レギュレータ３２による第２の分配部１３のＬＮＡ１３２への駆動電力の供給が停止される。電力レギュレータ３５により第２の衛星波チューナ１５への駆動電力の供給が停止される。電力レギュレータ３４による第１の衛星波チューナ１４への駆動電力の供給が停止される。電力レギュレータ３６による第２の地上波チューナ１７への駆動電力の供給が停止される。
【００７５】
［衛星波デジタルと地上波デジタルの放送信号を同時受信］
衛星波デジタルと地上波デジタルの放送信号を同時受信は、電力レギュレータ３１により第１の分配部１２のＬＮＡ１２２に駆動電力が供給される。電力レギュレータ３２により第２の分配部１３のＬＮＡ１３２に駆動電力が供給される。電力レギュレータ３４により第１の衛星波チューナ１４に駆動電力が供給される。電力レギュレータ３６により第２の地上波チューナ１７に駆動電力が供給される。電力レギュレータ３３による第１の地上波チューナ１６に駆動電力が供給される。電力レギュレータ３５による第２の衛星波チューナ１５への駆動電力の供給が停止される。
【００７６】
以上は、各チューナに１対１で電力レギュレータを設けた例であるが、複数のチューナに対して１つの電力レギュレータを設けることも可能である。この場合、電力を供給した複数のチューナのうち、受信放送信号に応じて非処理（未使用）のチューナをスリープ状態（低消費電力モード）とすることで低消費電力化を実現することも可能である。
【００７７】
図１１は、本第３の実施形態において複数の放送を同時に２または１つのチャンネルで受信する場合の電力供給制御の他例について説明するための図である。
【００７８】
この例では、電力レギュレータ３７が第１の地上波チューナ１６および第１の衛星波チューナ１４に駆動電力を選択的に供給し、電力レギュレータ３８が第２の地上波チューナ１７および第２の衛星波チューナ１５に駆動電力を選択的に供給する。
【００７９】
［地上波アナログと地上波デジタルの放送信号を同時受信］
地上波アナログと地上波デジタルの放送信号を同時受信は、電力レギュレータ３２により第２の分配部１３のＬＮＡ１３２に駆動電力が供給される。電力レギュレータ３７が第１の地上波チューナ１６および第１の衛星波チューナ１４に駆動電力を供給する。電力レギュレータ３８が第２の地上波チューナ１７および第２の衛星波チューナ１５に駆動電力を供給する。電力レギュレータ３１による第１の分配部１２のＬＮＡ１２２への駆動電力の供給が停止される。そして、第１の衛星波チューナ１４および第２の衛星波チューナ１５がスリープモードに制御される。
【００８０】
［地上波デジタルと衛星波デジタルの放送信号を同時受信］
地上波デジタルと衛星波デジタルの放送信号を同時受信は、電力レギュレータ３１により第１の分配部１２のＬＮＡ１２２に駆動電力が供給される。電力レギュレータ３２により第２の分配部１３のＬＮＡ１３２に駆動電力が供給される。電力レギュレータ３７が第１の地上波チューナ１６および第１の衛星波チューナ１４に駆動電力を供給する。電力レギュレータ３８が第２の地上波チューナ１７および第２の衛星波チューナ１５に駆動電力を供給する。そして、第２の地上波チューナ１７および第１の衛星波チューナ１４がスリープモードに制御される。
【００８１】
［地上波アナログの放送信号を単独受信］
地上波アナログの放送信号を単独受信は、電力レギュレータ３１により第１の分配部１２のＬＮＡ１２２に駆動電力が供給される。電力レギュレータ３７が第１の地上波チューナ１６および第１の衛星波チューナ１４に駆動電力を供給する。電力レギュレータ３２による第２の分配部１３のＬＮＡ１３２への駆動電力の供給が停止される。電力レギュレータ３８による第２の地上波チューナ１７および第２の衛星波チューナ１５への駆動電力の供給が停止される。そして、第１の衛星波チューナ１４、第２の衛星波チューナ１５、および第２の地上波チューナ１７がスリープモードに制御される。
【００８２】
［衛星波デジタルと地上波デジタルの放送信号を同時受信］
衛星波デジタルと地上波デジタルの放送信号を同時受信は、電力レギュレータ３１により第１の分配部１２のＬＮＡ１２２に駆動電力が供給される。電力レギュレータ３２により第２の分配部１３のＬＮＡ１３２に駆動電力が供給される。電力レギュレータ３７が第１の地上波チューナ１６および第１の衛星波チューナ１４に駆動電力を供給する。電力レギュレータ３８が第２の地上波チューナ１７および第２の衛星波チューナ１５に駆動電力を供給する。そして、第１の地上波チューナ１４および第２の衛星波チューナ１５がスリープモードに制御される。
【００８３】
本第３の実施形態によれば、１つのモジュールで電力を安定に供給しながら地上波アナログテレビジョン放送、地上波デジタルテレビジョン放送および衛星波デジタルテレビジョン放送を受信する。また、本第３の実施形態によれば、チューナモジュール部２０と電力供給部３０のグランドＧＮＤの共通化や、チューナモジュール部２０と電力供給部３０の隔離配置が行われている。そして、グランドＧＮＤからのリターン電流に配慮したシールドケースとＧＮＤパターンの接合位置やＧＮＤパターン設計を行うことによって、輻射妨害が抑えられ、全放送を安定的に受信することが可能になる。また、この電源一体型フロントエンドモジュールを用いると、テレビジョン受像機において通常方式でチューナ部、電源部の２枚の基板を使用していたところを、１枚の基板に簡略化することができる。これにより、省スペース化や構成分品の削減が実現でき、さらにシステム設計を容易にできるようになる。それ故通常方式と比較して実装面積が削減でき、しかも使用時の配置等の問題による干渉の問題を既に解決した状態で使用できるため、使用する側の設計検討を容易にすることができる。
【００８４】
＜４．第４の実施形態＞
図１２は、本発明の第４の実施形態に係る放送信号受信装置の構成例を示す図である。
【００８５】
本第４の実施形態に係る受信装置１０Ｃは、第４の信号ラインＳＬ１４にアイソレーションアンプ部４０が配置されている。
【００８６】
アイソレーションアンプ部４０は、第２の分配部１３で分配した地上波放送信号が制御端子に入力されて、インピーダンス変換により低インピーダンス出力を行うトランジスタにより形成されるバッファアンプを含む。そして、バッファアンプの入力側または出力側の少なくとも一方にアッテネータが配置される。なお、アッテネータは、入力された信号を減衰し、減衰後の信号を出力するものである。
【００８７】
図１３は、本第４の実施形態に係る分配器およびアイソレーションアンプ部の第１の構成例を示す図である。
【００８８】
図１３の分配器１３３は、分配トランスＴ１３３により形成されている。分配トランスＴ１３３は、インダクタＬ１１とインダクタＬ１２を有する。インダクタＬ１１の他端およびインダクタＬ１２の一端が地上波放送信号Ｔｅｒｒの供給端子（ＬＮＡ１３２の出力）に接続されている。インダクタＬ１１の一端およびインダクタＬ１２の他端が第３の信号ラインＳＬ１３および第４の信号ラインＳＬ１４に接続されている。第３の信号ラインＳＬ１３にアッテネータＡＴＴ４１が配置され、アッテネータＡＴＴ４１の出力がキャパシタＣ４１を介して第１の地上波チューナ１６に接続されている。
【００８９】
第４の信号ラインＳＬ１４にアッテネータＡＴＴ４２が配置され、アッテネータＡＴＴ４２の出力がアイソレーションアンプ部４０に接続されている。そして、アイソレーションアンプ部４０に出力側にアッテネータＡＴＴ４３が配置されている。アッテネータＡＴＴ４３の出力がキャパシタＣ４２を介して第２の地上波チューナ１７に接続されている。
【００９０】
アイソレーションアンプ部４０は、ｎｐｎ型トランジスタＱ４１、および抵抗素子Ｒ４１，Ｒ４２，Ｒ４３を有する。トランジスタＱ４１のコレクタが電源５０に接続され、エミッタが抵抗素子Ｒ４１を介してグランドＧＮＤ（基準電位）に接続されている。
電源５０とグランドＧＮＤとの間に抵抗素子Ｒ４２，Ｒ４３が直列に接続され、その接続ノードＮＤ４１が制御端子であるトランジスタＱ４１のベースおよびアッテネータＡＴＴ４２の出力に接続されている。
【００９１】
このように、アイソレーションアンプ部４０は、コレクタ接地型トランジスタにより形成されている。
【００９２】
このような構成を採用することで、１個の第２の入力端子ＴＩ１２から第２の分配部１３を介して複数の地上波チューナに信号を送り、それらのチューナで同時に受信させた場合、妨害波の影響を受けることなく問題なく受信可能である。１個の地上波チューナ（テレビジョンチューナ）のアンテナ端子から漏洩する妨害波に、残りのテレビジョンチューナが影響を受けずに問題なく受信できることを、信号ラインにコレクタ接地型トランジスタとアッテネータを挿入することにより実現されている。このように、本第４の実施形態によれば、端子間同士のアイソレーションを改善し、他の端子への妨害波を軽減することで、弱電界での受信を可能にしている。
【００９３】
なお、アイソレーションアンプ部４０は、第４の信号ラインＳＬ１４のみならず、第３の信号ラインＳＬ１３に配置することも可能である。さらに、第１の信号ラインＳＬ１１や第２の信号ラインＳＬ１２にも配置することは可能である。
【００９４】
図１４は、本第４の実施形態に係る分配器およびアイソレーションアンプ部の第２の構成例を示す図である。
【００９５】
図１４においては、図１３の構成に加えて第３の信号ラインＳＬ１３にもアイソレーションアンプ部４０Ａが配置されている。その構成は、アイソレーションアンプ部４０と同じであることからその説明は省略する。また、キャパシタＣ４１と第１の地上波チューナ１６の入力間にアッテネータＡＴＴ４４が配置されている。この場合、第１の地上波チューナ１６および第２の地上波チューナ１７を同時に動作させた場合でも、それぞれのチューナが影響を受けずに問題なく受信できる。
【００９６】
図１５は、実際にアイソレーション改善回路を挿入した場合のテレビジョンチューナ間のアイソレーション特性を示す図である。破線Ａで示す曲線がアイソレーションアンプ部の挿入前の特性を、実線Ｂで示す曲線がアイソレーションアンプ部を挿入後の特性を示している。破線Ａの曲線の特性だったのが、実線Ｂの曲線の特性に改善された。さらにコレクタ接地形式とすることにより、他の接地形式と比較し歪特性が良好であり、周辺回路も最小限に抑え安価に回路を構成することができる。さらに高い電圧を必要としないためモジュール内での電圧を利用でき、本形式はアイソレーション改善に適した回路であると言える。
【００９７】
なお、以上の説明ではバイポーラトランジスタを用いたコレクタ接地形式の場合を例に説明したが、図１６および図１７に示すように、電界効果トランジスタを用いたいわゆるドレイン接地型のものも適用可能であり、同様の効果を得ることができる。
【００９８】
中間周波数を通常のＩＦｐ＝５８．７５ＭＨｚから、たとえばＩＦｐ＝５．７５ＭＨｚに変更している同時受信する際に、１個のテレビジョンチューナの局発周波数が、他のテレビジョンチューナの希望周波数帯域内に重なってくることがある。本第４の実施形態の構成は、このようなアイソレーションが必要とされている場合に有効である。また、アイソレーションを改善するためのトランジスタは、ストレートタイプのリードを使用することにより、ＵＨＦ帯でのアイソレーション特性を確保できる。
【００９９】
本第４の実施形態によれば、複数のテレビジョンチューナを動作させた場合に、それぞれのテレビジョンチューナから信号ラインに漏洩される妨害波を、他テレビジョンチューナの受信への影響が無いレベルまで落とすことができる。その結果、複数テレビジョンチューナの同時受信を干渉させることなく可能にすることができる。
【０１００】
なお、上述した第１乃至第４の実施形態の受信装置は、モジュールとして構成される場合を例に説明したが、たとえばセット機器の回路基板に形成することも可能である。
【０１０１】
ところで、第１の衛星波チューナ１４および第２の衛星波チューナ１５においては、一般的に、１個または２個の衛星からの微弱電波を受信する。そして、受信する微弱電波の電界強度は、衛星からの距離にほぼ比例するため、第１の衛星波チューナ１４および第２の衛星波チューナ１５は、それぞれ、殆ど同一の受信電力の多チャンネルの放送信号を受信することとなる。
【０１０２】
これに対して、第１の地上波チューナ１６および第2の地上波チューナ１７は、通常、複数のチャンネルを同時に受信する。そして、受信する複数のチャンネル（周波数帯域）それぞれの電界強度は、チャンネルとしての電波を送信する電波局からの距離や、障害物の影響に応じて、著しく異なるものとなる。
【０１０３】
このため、第１の地上波チューナ１６および第２の地上波チューナ１７においては、受信するチャンネル毎に受信電力が異なるものとなる。そして、受信電力の弱いチャンネルに対応する放送信号は、受信電力の強いチャンネルに対応する放送信号から干渉を受けて、信号の波形に歪みが生じる等の問題が発生する。
【０１０４】
よって、第１の地上波チューナ１６および第２の地上波チューナ１７では、このような問題を解決するために、第１の地上波チューナ１６および第２の地上波チューナ１７それぞれを構成する回路に大きな電流を流すようにしている。
【０１０５】
これにより、受信電力の弱いチャンネルに対応する放送信号において、広いダイナミックレンジを確保できるとともに、上述の問題を軽減することができる。
【０１０６】
しかしながら、この場合、第１の地上波チューナ１６および第２の地上波チューナ１７では、それぞれを構成する回路に大きな電流を流すことになるため、それらの回路の温度が上昇し、回路に誤作動が生じ得る。
【０１０７】
したがって、回路の温度が上昇する第１の地上波チューナ１６および第２の地上波チューナ１７を隣接させて配置する場合には、互いの回路から発せられる熱により、互いの回路の温度がより上昇してしまう。
【０１０８】
このため、図１、図６および図１２に示されるように、第１の地上波チューナ１６と第２の地上波チューナ１７とが隣接しないように離間して配置するようにして、互いの回路の温度がより上昇する事態を防止するようにしている。
【０１０９】
また、図１、図６および図１２に示されるように、第１の地上波チューナ１６と第２の地上波チューナ１７との間に、第1の衛星波チューナ１４および第2の衛星波チューナ１５を設けるようにして、第1の地上波チューナ１６と第２の地上波チューナ１７との間にできた空間を有効に利用するようにしている。
【０１１０】
なお、第１の衛星波チューナ１４および第2の衛星波チューナ１５においては、第１の地上波チューナ１６および第２の地上波チューナ１７の場合のように、大きな電流を流す必要がないため、隣接して配置するようにしても、第１の衛星波チューナ１４および第２の衛星波チューナ１５の回路が高温になることはなく、誤作動が生じることはない。
【０１１１】
図１、図６および図１２に示されるように、第１の地上波チューナ１６と第２の地上波チューナ１７との間にできた空間を有効に利用するために、SHFの周波数帯域の放送信号を受信する衛星波チューナ（第１の衛星波チューナ１４や第2の衛星波チューナ１５）を設けるようにしたが、それ以外のチューナを設けるようにしてもよい。
【０１１２】
すなわち、例えば、図１８に示されるように、長波、中波、短波、超短波、ミリ波、またはサブミリ波のいずれかに対応する周波数帯域の放送信号を受信するチューナを設けるようにしてもよい。その他、例えば、第１の地上波チューナ１６と第２の地上波チューナ１７との間にできた空間には、チューナ以外の回路等を設けるようにしてもよい。
【０１１３】
なお、第１の地上波チューナ１６と第２の地上波チューナ１７との間にできた空間に、第1の衛星波チューナ１４および第2の衛星波チューナ１５を設けるようにしたが、チューナの配置や個数は、これに限定されない。
【０１１４】
すなわち、大きな電流を流す必要があるために回路の温度が高温となる地上波チューナを隣接させないように配置するのであれば、どのような配置方法であってもよい。
【０１１５】
すなわち、例えば、２個以上の地上波チューナを設けるようにした場合には、２個以上の地上波チューナそれぞれが隣接しないように配置されることとなる。この場合、２個以上の地上波チューナそれぞれの間に、１個以上の衛星波チューナを設けるように配置すればよい。なお、衛星波チューナの配置は、地上波チューナそれぞれの間にできた空間を効率的に利用できるように配置すればよく、図１、図６および図１２に示されるように、必ずしも一直線上に配置する必要はない。
【０１１６】
また、例えば、１個の地上波チューナ（例えば、第１の地上波チューナ１６や、第２の地上波チューナ１７）を設けた場合には、例えば、その地上波チューナの両端に、第１の衛星波チューナ１４と第２の衛星波チューナ１５とを配置するようにしてもよし。設けられた１個の地上波チューナの周囲に配置するようにしてもよい。
【符号の説明】
【０１１７】
１０，１０Ａ乃至１０Ｃ・・・受信装置、１１，１１Ａ，１１Ｂ・・・モジュール基板、１２・・・第１の分配部、１３・・・第２の分配部、１４・・・第１の衛星波チューナ、１５・・・第２の衛星波チューナ、１６・・・第１の地上波チューナ、１７・・・第２の地上波チューナ、１８・・・デジタルアナログ復調部、１９・・・デジタル復調部、２０・・・チューナモジュール部、３０・・・電力供給部、４０，４０Ａ・・・アイソレーションアンプ部、ＡＴＴ４１乃至ＡＴＴ４４・・・アッテネータ。
【図１】
2011007718.tif 000003
【図２】
2011007718.tif 000004
【図３】
2011007718.tif 000005
【図４】
2011007718.tif 000006
【図５】
2011007718.tif 000007
【図６】
2011007718.tif 000008
【図７】
2011007718.tif 000009
【図８】
2011007718.tif 000010
【図９】
2011007718.tif 000011
【図１０】
2011007718.tif 000012
【図１１】
2011007718.tif 000013
【図１２】
2011007718.tif 000014
【図１３】
2011007718.tif 000015
【図１４】
2011007718.tif 000016
【図１５】
2011007718.tif 000017
【図１６】
2011007718.tif 000018
【図１７】
2011007718.tif 000019
【図１８】
2011007718.tif 000020
【国際調査報告】
2011007718.tif 000021
2011007718.tif 000022
2011007718.tif 000023
2011007718.tif 000024